(57)【要約】【課題】捺染を施した布帛において、色ムラおよび表裏面の発色差の発生を抑えて、画質を向上させる処理液の記録方法を提供すること。【解決手段】本発明の処理液の記録方法は、色材が含まれるインクを布帛２０に付与する第１の工程と、第１の工程の後に、布帛２０に付与されたインクに接するように、処理液を付与する第２の工程と、を備え、処理液は、含窒素複素環式化合物を含み、含窒素複素環式化合物の含有量は、処理液の全質量に対して、３０質量％以上、５０質量％以下である。【選択図】なし【特許請求の範囲】
【請求項１】
色材が含まれるインクを布帛に付与する第１の工程と、
前記第１の工程の後に、前記布帛に付与された前記インクに接するように、処理液を付与する第２の工程と、を備え、
前記処理液は、含窒素複素環式化合物を含み、
前記含窒素複素環式化合物の含有量は、前記処理液の全質量に対して、３０質量％以上、５０質量％以下である、処理液の記録方法。
【請求項２】
前記第１の工程および前記第２の工程に、インクジェット記録装置を適用したインクジェット記録方法である、請求項１に記載の処理液の記録方法。
【請求項３】
前記インクジェット記録装置は、インクジェットヘッドを有し、
前記インクジェットヘッドは、前記インクを吐出するインク用ノズル列と、前記処理液を吐出する処理液用ノズル列と、を有し、
前記インクジェットヘッドが、前記布帛の所定の範囲を第１の方向に走査している間に、前記第１の工程および前記第２の工程が実施され、
前記インクジェットヘッドが、前記布帛の所定の範囲を、前記第１の方向と反対の第２の方向に走査している間に、前記第１の工程および前記第２の工程が実施される、請求項２に記載の処理液の記録方法。
【請求項４】
前記含窒素複素環式化合物は、Ｎ−メチル−２−ピロリドン、Ｎ−エチル−２−ピロリドン、Ｎ−ビニル−２−ピロリドン、２−ピロリドン、５−メチル−２−ピロリドン、１，３−ジメチル−２−イミダゾリジノンから選ばれる１種以上である、請求項１から請求項３のいずれか１項に記載の処理液の記録方法。
【請求項５】
前記インクは、前記含窒素複素環式化合物を含み、
前記含窒素複素環式化合物の含有量は、前記インクの全質量に対して、１質量％以上、１０質量％以下である、請求項１から請求項４のいずれか１項に記載の処理液の記録方法。
【請求項６】
前記第１の工程は、複数種の前記インクを用いて実施され、
複数種の前記インクは、
前記色材として、Ｃ．Ｉ．アシッドブラック１７２、Ｃ．Ｉ．アシッドブラック５２：１のうちの１種以上を含むインク、
前記色材として、Ｃ．Ｉ．アシッドイエロー７９を含むインク、
前記色材として、Ｃ．Ｉ．アシッドレッド１３８、Ｃ．Ｉ．アシッドレッド２４９、Ｃ．Ｉ．アシッドレッド２８９のうちの１種以上を含むインク、
前記色材として、Ｃ．Ｉ．ダイレクトブルー８７を含むインク、
前記色材として、Ｃ．Ｉ．アシッドオレンジ３３、Ｃ．Ｉ．アシッドオレンジ５６、Ｃ．Ｉ．アシッドオレンジ９４のうちの１種以上を含むインク、
前記色材として、Ｃ．Ｉ．アシッドレッド４０７を含むインク、
前記色材として、Ｃ．Ｉ．アシッドブルー１１２、Ｃ．Ｉ．アシッドブルー１４０のうちの１種以上を含むインクから選ばれる２種以上を含む、請求項５に記載の処理液の記録方法。
【請求項７】
複数種の前記インクは、
前記色材として、Ｃ．Ｉ．アシッドイエロー１８４を含むインク、
前記色材として、Ｃ．Ｉ．アシッドレッド５２を含むインク、
前記色材として、Ｃ．Ｉ．アシッドブルー１９３を含むインク、
前記色材として、Ｃ．Ｉ．アシッドブラウン２９８を含むインクから選ばれる１種以上をさらに含む、請求項６に記載の処理液の記録方法。
【請求項８】
前記第１の工程は、複数種の前記インクを用いて実施され、
複数種の前記インクは、
前記色材として、Ｃ．Ｉ．リアクティブブラック３９を含むインク、
前記色材として、Ｃ．Ｉ．リアクティブイエロー２、Ｃ．Ｉ．リアクティブイエロー９５のうちの１種以上を含むインク、
前記色材として、Ｃ．Ｉ．リアクティブレッド３１、Ｃ．Ｉ．リアクティブレッド２４５のうちの１種以上を含むインク、
前記色材として、Ｃ．Ｉ．リアクティブブルー１５：１を含むインク、
前記色材として、Ｃ．Ｉ．リアクティブオレンジ１３を含むインク、
前記色材として、Ｃ．Ｉ．リアクティブオレンジ３：１を含むインク、
前記色材として、Ｃ．Ｉ．リアクティブブルー４９を含むインクから選ばれる２種以上を含む、請求項５に記載の処理液の記録方法。
【請求項９】
複数種の前記インクは、
前記色材として、Ｃ．Ｉ．リアクティブブルー１３を含むインク、
前記色材として、Ｃ．Ｉ．リアクティブオレンジ３５を含むインクから選ばれる１種以上をさらに含む、請求項８に記載の処理液の記録方法。
【発明の詳細な説明】
【技術分野】
【０００１】
本発明は、処理液の記録方法に関する。
【背景技術】
【０００２】
従来、複数種のインクをインクセットとして用いて、それらを布帛に付着させて捺染を行う捺染方法が知られていた。例えば、特許文献１には、酸性染料を着色剤として含有する複数種のインクを備えたインクジェット捺染用インクセットと、浸透液とを併用したインクジェット捺染方法が提案されている。
【０００３】
また、特許文献２には、濃インクと淡インクとを用いる印刷装置において、ラスターライン間の色差を抑制するために、該印刷装置の印刷ヘッドのノズル列配置を、複数のノズル列の並びの中央で左右対称とした印刷装置が提案されている。
【先行技術文献】
【特許文献】
【０００４】
【特許文献１】特開２０１６−１３５８２２号公報
【特許文献２】特開２０１３−２３３６８９号公報
【発明の概要】
【発明が解決しようとする課題】
【０００５】
しかしながら、特許文献１に記載のインクジェット捺染方法では、インクの滲みの発生は抑えられるものの、捺染を施した布帛において、画質を向上させることが難しいという課題があった。詳しくは、インクジェット記録装置において、所定の方向にインクジェットヘッドを往復移動させながら印刷（捺染）を行うシリアルプリンターでは、該往復移動の方向と交差する方向に、インクのノズル列が配置されている。そのため、往復移動における往路と復路とで、複数種のインクが布帛に付着される順番が異なることがあった。
【０００６】
したがって、浸透液のノズル列を備えたインクジェットヘッドでは、往路と復路との両方向で捺染を行うと、インクと浸透液とを布帛に付着させる順番が逆転することがあった。この順番が逆転すると、布帛の表面や裏面において色ムラが発生することがあった。特に、色ムラは、複数種のインクが布帛に対して重ねられて付着された場合に顕著になりやすかった。色ムラが顕著になると、捺染を施した製品の外観品質を確保することが難しくなっていた。
【０００７】
また、特許文献２に記載の印刷装置を捺染に用いると、上記の順番を逆転させずに同じくすることが可能であるものの、布帛の表裏面（表面および裏面）において、インクの発色差が発生する場合があるという課題があった。詳しくは、インクの浸透性が確保しにくく、布帛の裏面までインクを浸透させることが難しかった。そのため、捺染を施した表面に対して、裏面ではインクの濃度が薄くなって、表裏面に色材の発色差が生じることがあった。このような表裏面の発色差は、布帛を縫製する際に糸返りの一因となったり、布帛を幟に用いると、裏面側からは捺染で施された画像などが見えにくくなったりすることがあった。
【０００８】
すなわち、捺染を施した布帛において、色ムラおよび表裏面の発色差の発生を抑えて、画質を向上させる方法が求められていた。
【課題を解決するための手段】
【０００９】
本発明は、上述の課題の少なくとも一部を解決するためになされたものであり、以下の形態または適用例として実現することが可能である。
【００１０】
［適用例］本適用例に係る処理液の記録方法は、色材が含まれるインクを布帛に付与する第１の工程と、第１の工程の後に、布帛に付与されたインクに接するように、処理液を付与する第２の工程と、を備え、処理液は、含窒素複素環式化合物を含み、含窒素複素環式化合物の含有量は、処理液の全質量に対して、３０質量％以上、５０質量％以下である。
【００１１】
本適用例によれば、捺染を施した布帛において、色ムラおよび表裏面の発色差の発生を抑えて、画質を向上させることができる。詳しくは、第１の工程でインクを布帛に付与した後に、第２の工程で処理液を付与することから、布帛に付与されるインクと処理液との順序が変わらず、布帛の表裏面における色ムラの発生を抑制することができる。また、含窒素複素環式化合物の含有量が、処理液の全質量に対して、３０質量％以上、５０質量％以下であることから、布帛に対して処理液の浸透性が向上する。そのため、インクに含まれる色材などの成分が、布帛の裏面まで浸透しやすくなり、布帛の表裏面における発色差の発生を抑制することができる。さらに、布帛に付与されたインクに接するように処理液を付与することから、浸透性向上などの処理液の機能がより発現されやすくなる。以上により、捺染を施した布帛において、従来よりも画質を向上させる処理液の記録方法を提供することができる。
【００１２】
上記適用例に記載の処理液の記録方法において、第１の工程および第２の工程に、インクジェット記録装置を適用することが好ましい。
【００１３】
これによれば、インクジェット記録装置によるインクジェット法を用いるため、第１の工程にて、高精細な画像などを布帛に形成することができる。また、布帛に付与されたインクに接するように、処理液を付与することが容易になる。さらに、布帛に対する処理液の付着量、付与する領域などを容易に調節することができる。
【００１４】
上記適用例に記載の処理液の記録方法において、インクジェット記録装置は、インクジェットヘッドを有し、インクジェットヘッドは、インクを吐出するインク用ノズル列と、処理液を吐出する処理液用ノズル列と、を有し、インクジェットヘッドが、布帛の所定の範囲を第１の方向に走査している間に、第１の工程および第２の工程が実施され、インクジェットヘッドが、布帛の所定の範囲を、第１の方向と反対の第２の方向に走査している間に、第１の工程および第２の工程が実施されることが好ましい。
【００１５】
これによれば、第１の方向および第２の方向の双方で、第１の工程および第２の工程が行われる。そのため、捺染に要する時間を短縮することができる。
【００１６】
上記適用例に記載の処理液の記録方法において、含窒素複素環式化合物は、Ｎ−メチル−２−ピロリドン、Ｎ−エチル−２−ピロリドン、Ｎ−ビニル−２−ピロリドン、２−ピロリドン、５−メチル−２−ピロリドン、１，３−ジメチル−２−イミダゾリジノンから選ばれる１種以上であることが好ましい。
【００１７】
これによれば、布帛に対する処理液の浸透性がさらに向上する。そのため、布帛の表裏面における発色差の発生をさらに抑制することができる。
【００１８】
上記適用例に記載の処理液の記録方法において、インクは、含窒素複素環式化合物を含み、含窒素複素環式化合物の含有量は、インクの全質量に対して、１質量％以上、１０質量％以下であることが好ましい。
【００１９】
これによれば、含窒素複素環式化合物の含有量が、１質量％以上、１０質量％以下であることから、布帛に対するインクの浸透性がより向上する。そのため、捺染を施した布帛において、色ムラや表裏面の発色差の発生がより抑えられ、画質をさらに向上させることができる。
【００２０】
上記適用例に記載の処理液の記録方法において、第１の工程は、複数種のインクを用いて実施され、複数種のインクは、色材として、Ｃ．Ｉ．アシッドブラック１７２、Ｃ．Ｉ．アシッドブラック５２：１のうちの１種以上を含むインク、色材として、Ｃ．Ｉ．アシッドイエロー７９を含むインク、色材として、Ｃ．Ｉ．アシッドレッド１３８、Ｃ．Ｉ．アシッドレッド２４９、Ｃ．Ｉ．アシッドレッド２８９のうちの１種以上を含むインク、色材として、Ｃ．Ｉ．ダイレクトブルー８７を含むインク、色材として、Ｃ．Ｉ．アシッドオレンジ３３、Ｃ．Ｉ．アシッドオレンジ５６、Ｃ．Ｉ．アシッドオレンジ９４のうちの１種以上を含むインク、色材として、Ｃ．Ｉ．アシッドレッド４０７を含むインク、色材として、Ｃ．Ｉ．アシッドブルー１１２、Ｃ．Ｉ．アシッドブルー１４０のうちの１種以上を含むインクから選ばれる２種以上を含むことが好ましい。
【００２１】
これによれば、複数種のインクを用いることから、布帛に複数色の画像などを形成することができる。また、色材が酸性染料または直接染料であることから、絹布などの絹を含む布帛に用いた場合に、捺染を施した布帛の洗濯堅牢性を向上させることができる。
【００２２】
上記適用例に記載の処理液の記録方法において、複数種のインクは、色材として、Ｃ．Ｉ．アシッドイエロー１８４を含むインク、色材として、Ｃ．Ｉ．アシッドレッド５２を含むインク、色材として、Ｃ．Ｉ．アシッドブルー１９３を含むインク、色材として、Ｃ．Ｉ．アシッドブラウン２９８を含むインクから選ばれる１種以上をさらに含むことが好ましい。
【００２３】
これによれば、絹を含む布帛に対して、布帛に施す画像などの色域（色再現範囲）を拡大することができる。
【００２４】
上記適用例に記載の処理液の記録方法において、第１の工程は、複数種のインクを用いて実施され、複数種のインクは、色材として、Ｃ．Ｉ．リアクティブブラック３９を含むインク、色材として、Ｃ．Ｉ．リアクティブイエロー２、Ｃ．Ｉ．リアクティブイエロー９５のうちの１種以上を含むインク、色材として、Ｃ．Ｉ．リアクティブレッド３１、Ｃ．Ｉ．リアクティブレッド２４５のうちの１種以上を含むインク、色材として、Ｃ．Ｉ．リアクティブブルー１５：１を含むインク、色材として、Ｃ．Ｉ．リアクティブオレンジ１３を含むインク、色材として、Ｃ．Ｉ．リアクティブオレンジ３：１を含むインク、色材として、Ｃ．Ｉ．リアクティブブルー４９を含むインクから選ばれる２種以上を含むことが好ましい。
【００２５】
これによれば、複数種のインクを用いることから、布帛に複数色の画像などを形成することができる。また、色材が反応性染料であることから、綿布などの綿を含む布帛に用いた場合に、捺染を施した布帛の洗濯堅牢性を向上させることができる。
【００２６】
上記適用例に記載の処理液の記録方法において、複数種のインクは、色材として、Ｃ．Ｉ．リアクティブブルー１３を含むインク、色材として、Ｃ．Ｉ．リアクティブオレンジ３５を含むインクから選ばれる１種以上をさらに含むことが好ましい。
【００２７】
これによれば、綿を含む布帛に対して、布帛に施す画像などの色域（色再現範囲）を拡大することができる。
【図面の簡単な説明】
【００２８】
【図１】実施形態１に係るインクジェット記録装置を示す概略斜視図。
【図２】インクジェットヘッドのノズル列の配置を示す平面図。
【図３】実施形態３に係るインクジェットヘッドのノズル列の配置を示す平面図。
【図４】実施形態４に係るインクジェットヘッドのノズル列の配置を示す平面図。
【発明を実施するための形態】
【００２９】
以下、本発明の実施形態について説明する。以下に説明する実施の形態は、本発明の一例を説明するものである。また、本発明は、以下の実施の形態に限定されるものではなく、請求の範囲および明細書全体から読み取れる発明の要旨、あるいは思想に反しない範囲で適宜変更が可能であり、そのような変更を伴う処理液の記録方法もまた、本発明の技術的範囲に含まれるものである。
【００３０】
（実施形態１）
本実施形態に係る処理液およびインクについて、インクジェット法に用いられる水性の処理液（以降、単に「処理液」ともいう。）、および水性のインクジェットインク（以降、単に「インク」ともいう。）を例に挙げて説明する。なお、インクジェット法とは、インクジェット記録装置などのインクジェットヘッドのノズルから、インクなどの液滴を吐出して、布帛などの記録媒体に付与する記録方法である。
【００３１】
＜処理液＞
本実施形態に係る処理液は、布帛に捺染を施す際に、布帛に付与されたインクに接するように付与して用いる。処理液は、含窒素複素環式化合物および水を含む。処理液を用いることにより、処理液が備える浸透性によって、布帛に対するインクの浸透性が向上し、布帛の裏面までインクの成分が浸透しやすくなる。以下、本実施形態に係る処理液に含有される各成分から説明する。
【００３２】
［含窒素複素環式化合物］
含窒素複素環式化合物は、比較的に高い極性を有しているため、布帛に対する処理液の浸透性を向上させる。含窒素複素環式化合物の含有量は、処理液の全質量に対して、３０質量％以上、５０質量％以下である。好ましくは、３５質量％以上、４５質量％以下であり、より好ましくは、３７質量％以上、４０質量％以下である。含窒素複素環式化合物の含有量を、３０質量％以上とすることにより、布帛に対する処理液の浸透性が向上する。これにより、処理液の前に布帛に付与されたインクの浸透性を向上させることができる。含窒素複素環式化合物の含有量を、５０質量％以下とすることにより、処理液の粘度が過度に増大することが抑えられ、インクジェットヘッドから処理液を安定して吐出させることができる。
【００３３】
含窒素複素環式化合物は、浸透性の向上効果を備えていれば特に限定されないが、Ｎ−メチル−２−ピロリドン、Ｎ−エチル−２−ピロリドン、Ｎ−ビニル−２−ピロリドン、２−ピロリドン、５−メチル−２−ピロリドン、１，３−ジメチル−２−イミダゾリジノンから選ばれる１種以上を用いることが好ましく、２−ピロリドンを用いることがより好ましい。このような含窒素複素環式化合物を用いることによって、処理液の浸透性をより向上させことができる。
【００３４】
［水］
上述したように、本実施形態の処理液は、水を溶媒として含む、水性の処理液である。水は、処理液を布帛に付与した後に、乾燥によって蒸発する成分である。水としては、例えば、イオン交換水、限外ろ過水、逆浸透水、蒸留水などの純水、ならびに超純水のようなイオン性不純物を極力除去したものが採用可能である。また、紫外線照射や過酸化水素の添加などによって滅菌した水を使用すると、処理液を長期間保存する場合に、カビやバクテリアの発生を抑制することができる。
【００３５】
処理液に含まれる水の含有量は、特に限定されないが、処理液の全質量に対して、５質量％以上、６０質量％以下であり、１０質量％以上、５０質量％以下が好ましく、１５質量％以上、４０質量％以下がより好ましい。水の含有量を上記の範囲とすることにより、処理液の粘度の増大を抑えて、処理液を布帛に付与する際の作業性、および付与した後の乾燥性を向上させることができる。
【００３６】
［界面活性剤］
処理液には、界面活性剤を添加してもよい。界面活性剤は、処理液の表面張力を低下させて、布帛に対する処理液の濡れ性を高める。界面活性剤としては、ノニオン系界面活性剤、アニオン系界面活性剤、カチオン系界面活性剤、両性界面活性剤が挙げられる。
【００３７】
処理液に界面活性剤を添加する場合の含有量は、処理液の全質量に対し、０．２質量％以上、２．０質量％以下が好ましく、より好ましくは０．５質量％以上、１．５質量％以下である。さらにより好ましくは、０．８質量％以上、１．０質量％以下である。界面活性剤の含有量を０．２質量％以上とすることにより、布帛に対する処理液の濡れ性を向上させることができる。界面活性剤の含有量を２．０質量％以下とすることにより、処理液の表面張力が過度に低下することを抑え、処理液の起泡性（泡立ちやすさ）を抑えることができる。
【００３８】
ノニオン系界面活性剤としては、アセチレングリコール系界面活性剤、フッ素系界面活性剤、シリコーン系界面活性剤などを用いることができる。これらの界面活性剤を用いることにより、少量の含有量で、布帛に対する処理液の濡れ性を向上させることができる。
【００３９】
アセチレングリコール系界面活性剤としては、特に限定されないが、例えば、２，４，７，９−テトラメチル−５−デシン−４，７−ジオール、２，４，７，９−テトラメチル−５−デシン−４，７−ジオールのアルキレンオキシド付加物、２，４−ジメチル−５−デシン−４−オール、２，４−ジメチル−５−デシン−４−オールのアルキレンオキシド付加物、３，６−ジメチル−４−オクチン−３，６−ジオール、３，５−ジメチル−１−ヘキシン−３オール、２，４−ジメチル−５−ヘキシン−３−オールなどのアルキレンオキシド付加物が挙げられる。
【００４０】
このようなアセチレングリコール系界面活性剤としては、市販品を用いてもよい。例えば、サーフィノール（登録商標）１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上商品名、Air Products and Chemicals, Inc.社）、オルフィン（登録商標）Ｂ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上商品名、日信化学工業社）、アセチレノール（登録商標）Ｅ００、Ｅ００Ｐ、Ｅ４０、Ｅ１００（以上商品名、川研ファインケミカル社）などが挙げられる。
【００４１】
フッ素系界面活性剤としては、市販品が採用可能であり、例えば、メガファック（登録商標）Ｆ−４７９（商品名、ＤＩＣ社）、ＢＹＫ−３４０（商品名、ＢＹＫ社）などが挙げられる。
【００４２】
シリコーン系界面活性剤としては、特に限定されないが、ポリシロキサン系化合物が採用可能である。ポリシロキサン化合物としては、特に限定されないが、例えば、ポリエーテル変性オルガノシロキサンが挙げられる。ポリエーテル変性オルガノシロキサンの市販品としては、例えば、ＢＹＫ−３０２、３０６、３０７、３３３、３４１、３４５、３４６、３４７、３４８（以上商品名、ＢＹＫ社）、ＫＦ−３５１Ａ、３５２Ａ、３５３、３５４Ｌ、３５５Ａ、６１５Ａ、９４５、６４０、６４２、６４３、６０２０、６０１１、６０１２、６０１５、６０１７、Ｘ−２２−４５１５（以上商品名、信越化学工業社）などが挙げられる。
【００４３】
アニオン系界面活性剤としては、例えば、高級脂肪酸塩、石けん、α−スルホ脂肪酸メチルエステル塩、アルキルベンゼンスルホン酸塩、アルキル硫酸エステル塩、アルキルエーテル硫酸エステル塩、モノアルキルリン酸エステル塩、α−オレフィンスルホン酸塩、アルキルナフタレンスルホン酸塩、ナフタレンスルホン酸塩、アルカンスルホン酸塩、ポリオキシエチレンアルキルエーテル硫酸塩、スルホコハク酸塩、ポリオキシアルキレングリコールアルキルエーテルリン酸エステル塩などが挙げられる。
【００４４】
カチオン性界面活性剤としては、例えば、アルキルトリメチルアンモニウム塩、ジアルキルジメチルアンモニウム塩、アルキルジメチルベンジルアンモニウム塩などの第４級アンモニウム塩化合物、Ｎ−メチルビスヒドロキシエチルアミン脂肪酸エステル塩酸塩などのアミン塩化合物が挙げられる。また、カチオン性界面活性剤としては、カチオン性化合物として上述したものを用いてもよい。
【００４５】
両性界面活性剤としては、特に限定されないが、アルキルアミノ脂肪酸塩などのアミノ酸化合物が挙げられる。
【００４６】
上述した界面活性剤は、１種単独または複数種を用いてもよい。また、これらのうち、ＨＬＢ（Hydrophilic-Lipophilic Balance）値が１３以上の界面活性剤を用いることが好ましい。これによれば、処理液を布帛に付与した際に、布帛に対する浸透と濡れ広がりとの挙動を調節することができる。
【００４７】
［他の有機溶剤］
処理液には、上述した含窒素複素環式化合物に加えて、他の有機溶剤を添加してもよい。他の有機溶剤を添加することにより、粘度、表面張力などの物性や、布帛に付与した際の乾燥、濡れ広がりなどの処理液の挙動を調節することができる。他の有機溶剤としては、例えば、１，２−アルカンジオール類、多価アルコール類、グリコールエーテル類などが挙げられる。これらは、１種単独または複数種を用いることが可能である。
【００４８】
１，２−アルカンジオール類としては、例えば、１，２−プロパンジオール、１，２−ブタンジオール、１，２−ペンタンジオール、１，２−ヘキサンジオール、１，２−オクタンジオールなどが挙げられる。１，２−アルカンジオール類は、布帛に対する処理液の濡れ性を高めて、均一に濡らす作用に優れている。そのため、インクによって形成される画像などにおいて、にじみの発生を抑えることができる。１，２−アルカンジオール類を添加する場合の含有量は、処理液の全質量に対して、１質量％以上、２０質量％以下であることが好ましい。
【００４９】
多価アルコール類としては、例えば、エチレングリコール、ジエチレングリコール、トリエチレングリコール、プロピレングリコール、ジプロピレングリコール、１，３−プロパンジオール、１，３−ブタンジオール、１，３−ペンタンジオール、１，４−ブタンジオール、１，５−ペンタンジオール、１，６−ヘキサンジオール、２，３−ブタンジオール、３−メチル−１，３−ブタンジオール、３−メチル−１，５−ペンタンジオール、２−メチル−１，３−プロパンジオール、２，２−ジメチル−１，３−プロパンジオール、２−メチル−２，４−ペンタンジオール、グリセリンなどが挙げられる。多価アルコール類を処理液に添加することよって、インクジェットヘッドの吐出ノズル内における処理液の乾燥や固化を抑制して、吐出ノズルの目詰まりや吐出不良などを低減することができる。多価アルコール類を添加する場合の含有量は、処理液の全質量に対して、２質量％以上、４０質量％以下であることが好ましい。なお、２０℃では固体の多価アルコール類も、有機溶剤の多価アルコール類と同様な作用を有しており、同様に用いてもよい。２０℃で固体の多価アルコール類としては、例えば、トリメチロールプロパンなどが挙げられる。
【００５０】
グリコールエーテル類としては、例えば、アルキレングリコールモノエーテルやアルキレングリコールジエーテルなどが挙げられる。
【００５１】
アルキレングリコールモノエーテルとしては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノヘキシルエーテル、トリエチレングリコールモノメチルエーテル、トリエチレングリコールモノエチルエーテル、トリエチレングリコールモノブチルエーテル（ブチルトリグリコール）、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテルなどが挙げられる。
【００５２】
アルキレングリコールジエーテルとしては、例えば、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールメチルエチルエーテル、ジエチレングリコールジブチルエーテル、ジエチレングリコールブチルメチルエーテル、トリエチレングリコールジメチルエーテル、トリエチレングリコールジエチルエーテル、トリエチレングリコールジブチルエーテル、トリエチレングリコールブチルメチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテルなどが挙げられる。
【００５３】
グリコールエーテル類を処理液に添加することによって、布帛に対する濡れ性や浸透速度を調節することができる。グリコールエーテル類を添加する場合の含有量は、処理液の全質量に対して、０．０５質量％以上、５質量％以下であることが好ましい。
【００５４】
上述した他の有機溶剤は、複数種を混合して用いてもよい。その場合、処理液における他の有機溶剤の合計の含有量は、処理液の全質量に対し、好ましくは２５質量％以上、４０質量％以下であり、より好ましくは３０質量％以上、３５質量％以下である。他の有機溶剤の合計の含有量を上記の範囲内とすることにより、処理液の粘度の増大、布帛における挙動（乾燥や濡れ広がりなど）の調節、インクジェットヘッドの吐出不良低減などが可能となる。
【００５５】
［その他の成分］
処理液には、ｐＨ調整剤、防腐剤、防かび剤、酸化防止剤、キレート剤、腐食防止剤などの種々の添加剤を添加してもよい。
【００５６】
ｐＨ調整剤としては、特に限定されないが、例えば有機塩基、無機塩基が挙げられる。有機塩基としては、例えば、トリエタノールアミン、ジエタノールアミン、モノエタノールアミン、トリ−ｉｓｏ−プロパノールアミンなどのアルカノールアミン類が挙げられる。無機塩基としては、例えば、水酸化リチウム、水酸化カリウム、水酸化カルシウム、などのアルカリ金属またはアルカリ土類金属の水酸化物である強塩基を用いることができる。これらのｐＨ調整剤を用いて、処理液のｐＨを７．５以上、１０．５以下の範囲に調整することが好ましい。処理液のｐＨを上記範囲とすることにより、インクジェットヘッドを含むインクジェット記録装置などにおいて、撥インク膜などの部材の腐食を抑えることができる。
【００５７】
防腐剤や防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジンチアゾリン−３−オン（ＬＯＮＺＡ社の商品名  ＰＲＯＸＥＬ  ＣＲＬ、ＰＲＯＸＥＬ  ＢＤＮ、ＰＲＯＸＥＬ  ＧＸＬ、ＰＲＯＸＥＬ  ＸＬ−２、ＰＲＯＸＥＬ  ＴＮ）などが挙げられる。防腐剤や防かび剤を処理液に添加することにより、処理液中にバクテリアやカビが繁殖することを抑制できる。
【００５８】
［処理液の調製方法］
処理液は、上述した各成分を任意の順序で混合し、必要に応じてろ過などを実施して不純物や異物などを除去することで調製することができる。各成分の混合方法としては、メカニカルスターラー、マグネティックスターラーなどの撹拌装置を備えた容器に、材料（成分）を順次添加して撹拌、混合する方法が用いられる。ろ過方法としては、遠心ろ過、フィルターろ過などが採用可能である。
【００５９】
［処理液の物性］
処理液の物性は、布帛の種類に応じて任意に調節される。布帛の種類については後述する。
【００６０】
処理液の２０℃における粘度は、特に限定されないが、１．５ｍＰａ・ｓ（ミリパスカル秒）以上、１５ｍＰａ・ｓ以下であることが好ましく、より好ましくは１．５ｍＰａ・ｓ以上、５ｍＰａ・ｓ以下であり、さらにより好ましくは１．５ｍＰａ・ｓ以上、３．６ｍＰａ・ｓ以下である。処理液の粘度を上記の範囲とすることにより、布帛に付与する際に、インクジェットヘッドから処理液を安定して吐出させると共に、処理液を付与する工程（第２の工程）に要する時間を短縮することができる。
【００６１】
処理液の粘度は、例えば、粘弾性試験機ＭＣＲ−３００（Ｐｙｓｉｃａ社）を用いて測定する。具体的には、処理液の温度を２０℃に調整し、Ｓｈｅａｒ  Ｒａｔｅを１０から１０００に上げ、Ｓｈｅａｒ  Ｒａｔｅが２００のときの粘度を読み取ることにより測定することが可能である。
【００６２】
処理液の２５℃における表面張力は、例えば、３０ｍＮ／ｍ以上、６０ｍＮ／ｍ以下とすることが好ましく、より好ましくは３５ｍＮ／ｍ以上、５０ｍＮ／ｍ以下である。処理液の２５℃における表面張力を上記の範囲とすることにより、処理液を付与する際に、布帛に対する濡れ性を向上させることができる。
【００６３】
処理液の表面張力は、例えば、自動表面張力計ＣＢＶＰ−Ｚ（協和界面科学社）を用いて測定する。具体的には、２５℃の環境下にて、白金プレートを処理液で濡らしたときの表面張力を読み取ることにより、測定することが可能である。
【００６４】
＜インク＞
次に、本実施形態のインクについて説明する。本実施形態のインクは、色材、含窒素複素環式化合物、水を含む、水性のインクジェットインクである。以下、本実施形態のインクに含まれる成分から説明する。
【００６５】
［色材］
本実施形態に係るインクは、色材を含んでいる。色材を含むことにより、捺染を施した布帛（印捺物）に画像などを形成することが可能となる。色材としては、捺染を施す布帛の形成材料などに応じて、顔料または染料が採用可能である。
【００６６】
顔料としては、公知の有機顔料、無機顔料のいずれも採用可能である。有機顔料としては、例えば、アゾレーキ顔料、不溶性アゾ顔料、縮合アゾ顔料、キレートアゾ顔料などのアゾ顔料、フタロシアニン顔料、ペリレン顔料、ペリノン顔料、アントラキノン顔料、キナクリドン顔料、ジオキサジン顔料、チオインジゴ顔料、イソインドリノン顔料、イソインドリン顔料、キノフタロン顔料、ジケトピロロピロール顔料などの多環式顔料、塩基性染料型レーキ、酸性染料型レーキなどの染料レーキ顔料、ニトロ顔料、ニトロソ顔料、アニリンブラック、昼光蛍光顔料などが挙げられる。無機顔料としては、例えば二酸化チタン、酸化亜鉛、酸化クロムなどの金属酸化物顔料、カーボンブラックなどが挙げられる。
【００６７】
顔料を用いる場合の含有量は、特に限定されないが、インクの全質量に対して、例えば、０．１質量％以上、３０質量％以下とすることが好ましい。より好ましくは、１質量％以上、２０質量％以下であり、さらに好ましくは１質量％以上、１５質量％以下である。顔料の含有量を上記の範囲内とすることにより、印捺物において、顔料の発色を確保すると共に、インクの粘度上昇やインクジェットヘッドの目詰まりの発生を抑えることができる。
【００６８】
色材として顔料を用いる場合は、インク中での分散性を高めるために、顔料に表面処理を施すか、分散剤などを配合することが好ましい。顔料の表面処理とは、物理的処理または化学的処理によって、顔料の粒子表面にカルボキシ基やスルホ基などの親水性基を導入する方法である。顔料の表面処理によって、顔料を水系の溶媒（水性溶媒）中に分散することが可能となる。
【００６９】
水性溶媒に用いる分散剤は、分子構造における疎水部（疎水基）が顔料の粒子表面に吸着し、親水部（親水基）が溶媒側（媒体側）に配向する作用を有している。この作用により、顔料を水性溶媒中で分散することが可能となる。分散剤としては、公知の界面活性剤や樹脂を用いることが可能である。また、樹脂などで顔料粒子を被覆し、分散性を付与する方法を用いてもよい。顔料粒子を被覆する方法としては、酸析法、転相乳化法、ミニエマルション重合法などが採用できる。
【００７０】
染料としては、例えば、酸性染料、塩基性染料、直接染料などの水溶性染料、分散剤（界面活性剤）を併用する分散染料、反応性染料などが挙げられ、公知の染料が採用可能である。染料は、染料の分子と、布帛の形成材料が有する官能基とが化学結合を形成して、染着することにより捺染がなされる。特に、水溶性を備えた染料は、顔料のようにインク中に粒子で存在する色材と比べて、布帛に付与した際に浸透性が発現されやすい。そのため、印捺物における裏面の外観品質を重視する製品へ好適に用いられる。また、布帛の形成材料に応じて適切な染料を選択すれば、顔料を色材に用いたインクと比べて、印捺物の洗濯堅牢性や摩擦堅牢性を向上させることができる。
【００７１】
上述した染料の中でも、汎用品に対して比較的に高級な製品に用いられる絹を含む布帛に好適な、酸性染料または直接染料、あるいは布帛として普及している綿を含む布帛に好適な反応性染料を、布帛の形成材料に応じて用いることが好ましい。
【００７２】
酸性染料としては、特に限定されないが、例えば、Ｃ．Ｉ．（Colour Index Generic Name）アシッドブルー１、７、９、１５、２２、２３、２５、２７、２９、４０、４１、４３、４５、４９、５４、５９、６０、６２、７２、７８、８０、８２、８３、９０、９２、９３、１００、１０２、１０３、１０４、１１２、１１３、１１７、１２０、１２６、１２７、１２９、１３０、１３１、１３３、１３８、１４０、１４２、１４３、１５１、１５４、１５８、１６１、１６６、１６７、１６８、１７０、１７１、１７５、１８２、１８３、１８４、１８５、１８７、１９２、１９３、１９９、２０３、２０４、２０５、２２５、２２９、２３４、２３６、２４７、２４９、３００、Ｃ．Ｉ．アシッドレッド１、６、８、９、１３、１４、１８、１９、２４、２６、２７、２８、３２、３５、３７、４２、５１、５２、５７、６２、７５、７７、８０、８２、８３、８５、８７、８８、８９、９２、９４、９５、９７、１０６、１１１、１１４、１１５、１１７、１１８、１１９、１２９、１３０、１３１、１３３、１３４、１３８、１４３、１４５、１４９、１５４、１５５、１５８、１６８、１８０、１８３、１８４、１８６、１９４、１９８、１９９、２０９、２１１、２１５、２１６、２１７、２１９、２４９、２５２、２５４、２５６、２５７、２６０、２６３、２６５、２６６、２７４、２７６、２８２、２８３、２８９、３０３、３１７、３１８、３２０、３２１、３２２、３６１、４０７、Ｃ．Ｉ．アシッドイエロー１、３、７、１１、１７、１９、２５、２９、３２、３６、３８、４０、４２、４４、４９、５９、６１、７０、７２、７５、７６、７８、７９、９８、９９、１１０、１１１、１１２、１１４、１１６、１１８、１１９、１２７、１２８、１３１、１３５、１４１、１４２、１６１、１６２、１６３、１６４、１６５、１６９、１８４、２０７、２１９、２４６、Ｃ．Ｉ．アシッドブラック１、２、７、２４、２６、２９、３１、４４、４８、５０、５１、５２、５２：１、５８、６０、６２、６３、６４、６７、７２、７６、７７、９４、１０７、１０８、１０９、１１０、１１２、１１５、１１８、１１９、１２１、１２２、１３１、１３２、１３９、１４０、１５５、１５６、１５７、１５８、１５９、１７２、１９１、２３４、Ｃ．Ｉ．アシッドオレンジ１、７、８、１０、１９、２０、２４、２８、３３、４１、４３、４５、５１、５６、６３、６４、６５、６７、７４、８０、８２、８５、８６、８７、８８、９４、１２２、１２３、１２４、Ｃ．Ｉ．アシッドバイオレット７、１１、１５、３１、３４、３５、４１、４３、４７、４８、４９、５１、５４、６６、６８、７５、７８、９７、１０６、Ｃ．Ｉ．アシッドグリーン３、７、９、１２、１６、１９、２０、２５、２７、２８、３５、３６、４０、４１、４３、４４、４８、５６、５７、６０、６１、６５、７３、７５、７６、７８、７９、Ｃ．Ｉ．アシッドブラウン２、４、１３、１４、１９、２０、２７、２８、３０、３１、３９、４４、４５、４６、４８、５３、１００、１０１、１０３、１０４、１０６、１６０、１６１、１６５、１８８、２２４、２２５、２２６、２３１、２３２、２３６、２４７、２５６、２５７、２��６、２６８、２７６、２７７、２８２、２８９、２９４、２９５、２９６、２９７、２９８、２９９、３００、３０１、３０２などが挙げられる。
【００７３】
直接染料としては、特に限定されないが、例えば、Ｃ．Ｉ．ダイレクトブルー１、２、６、９、１５、２２、２５、４１、７１、７６、７７、７８、８０、８６、８７、９０、９８、１０６、１０８、１２０、１２３、１５８、１６０、１６３、１６５、１６８、１９２、１９３、１９４、１９５、１９６、２００、２０１、２０２、２０３、２０７、２２５、２２６、２３６、２３７、２４６、２４８、２４９、Ｃ．Ｉ．ダイレクトレッド１、２、４、９、１１、１３、１７、２０、２３、２４、２８、３１、３３、３７、３９、４４、４６、６２、６３、７５、７９、８０、８１、８３、８４、８９、９５、９９、１１３、１９７、２０１、２１８、２２０、２２４、２２５、２２６、２２７、２２８、２２９、２３０、２３１、Ｃ．Ｉ．ダイレクトイエロー１、８、１１、１２、２４、２６、３３、３９、４４、５０、５８、８５、８６、８７、８８、８９、９８、１１０、１３２、１４２、１４４、Ｃ．Ｉ．ダイレクトブラック１７、１９、２２、３２、３５、３８、５１、５６、６２、７１、７４、７５、７７、９４、１０５、１０６、１０７、１０８、１１２、１１３、１１７、１１８、１３２、１３３、１４６、１５４、１６８、１７１などが挙げられる。
【００７４】
以上に上げた酸性染料および直接染料の中でも、印捺物の洗濯堅牢性や色域拡大の観点から、Ｃ．Ｉ．アシッドブルー１１２、１４０、１９３、Ｃ．Ｉ．アシッドレッド５２、１３８、２４９、２８９、４０７、Ｃ．Ｉ．アシッドイエロー７９、１８４、Ｃ．Ｉ．アシッドブラック５２：１、１７２、Ｃ．Ｉ．アシッドオレンジ３３、５６、９４、Ｃ．Ｉ．アシッドブラウン２９８、Ｃ．Ｉ．ダイレクトブルー８７を用いることが好ましい。
【００７５】
反応性染料としては、公知の染料が採用可能であり特に限定されないが、例えば、Ｃ．Ｉ．リアクティブブルー２、３、５、７、１３、１４、１５：１、２１、２５、２６、３８、３９、４０、４１、４６、４９、５０、６９、７２、１０９、１２０、１４３、１７６、Ｃ．Ｉ．リアクティブレッド２、４、７、１２、１３、１４、１５、１６、２９、３１、３２、３３、４３、４５、４６、５５、５８、５９、７９、１０６、１１１、１２４、２１８、２４５、Ｃ．Ｉ．リアクティブイエロー２、３、６、７、１２、１５、１８、２２、３７、４２、５７、６９、７６、８１、８６、９５、１０２、１２５、１３５、１８１、Ｃ．Ｉ．リアクティブブラック１、３、４、５、１０、１２、１３、１４、３１、３４、３５、３９、Ｈｕｎｔｓｍａｎブラック、Ｃ．Ｉ．リアクティブオレンジ２、３：１、５、１３、２０、３５、９９、Ｃ．Ｉ．リアクティブバイオレット１、２、３３、Ｃ．Ｉ．リアクティブグリーン５、８、Ｃ．Ｉ．リアクティブブラウン１、２、７、８、９、１１、１４などが挙げられる。
【００７６】
以上に上げた反応性染料の中でも、印捺物の洗濯堅牢性や色域拡大の観点から、Ｃ．Ｉ．リアクティブブルー１３、１５：１、４９、Ｃ．Ｉ．リアクティブレッド３１、２４５、Ｃ．Ｉ．リアクティブイエロー２、９５、Ｃ．Ｉ．リアクティブブラック３９、Ｃ．Ｉ．リアクティブオレンジ３：１、１３、３５を用いることが好ましい。
【００７７】
以上に挙げた染料を色材として、１種単独、または複数種を組み合せて用いることができる。
【００７８】
染料を用いる場合の含有量は、特に限定されないが、インクの全質量に対して、例えば、０．５質量％以上、３０質量％以下とすることが好ましい。より好ましくは１質量％以上、２５質量％以下であり、さらに好ましくは１質量％以上、２０質量％以下である。染料の含有量を上記の範囲内とすることにより、印捺物において、染料の発色を確保すると共に、インクの粘度増大や吐出ノズルの目詰まりの発生を抑えることができる。
【００７９】
［含窒素複素環式化合物］
含窒素複素環式化合物は、極性溶媒の中でも高い極性を有しているため、布帛に対するインクの浸透性をさらに向上させる。含窒素複素環式化合物の含有量は、インクの全質量に対して、１質量％以上、１０質量％以下である。好ましくは、２質量％以上、８質量％以下であり、より好ましくは、３質量％以上、６質量％以下である。含窒素複素環式化合物の含有量を、１質量％以上とすることにより、布帛に対するインクの浸透性を向より上させることができる。含窒素複素環式化合物の含有量を、１０質量％以下とすることにより、インクの粘度が過度に増大することが抑えられ、インクジェットヘッドからインクを安定して吐出させることができる。含窒素複素環式化合物としては、浸透性の向上の観点から、上述した処理液と同様な含窒素複素環式化合物を用いることが好ましく、２−ピロリドンを用いることがより好ましい。
【００８０】
［水］
上述したように、本実施形態のインクは水性のインクジェットインクであって、水を溶媒として含んでいる。水は、インクを布帛に付与した後に、乾燥によって蒸発する成分である。水としては、上述した処理液と同様なものが採用可能である。
【００８１】
インクに含まれる水の含有量は、特に限定されないが、インクの全質量に対して、１０質量％以上、８０質量％以下であり、２０質量％以上、７５質量％以下が好ましく、３０質量％以上、７０質量％以下がより好ましい。水の含有量を上記の範囲とすることにより、インクの粘度の増大を抑えて、インクを布帛に付与する際の作業性、および付与した後の乾燥性を向上させることができる。
【００８２】
［他の有機溶剤］
インクには、上述した含窒素複素環式化合物に加えて、他の有機溶剤を添加してもよい。他の有機溶剤を添加することにより、粘度、表面張力などの物性や、布帛に付与した際の乾燥、濡れ広がりなどのインクの挙動を調節することができる。他の有機溶剤としては、例えば、１，２−アルカンジオール類、多価アルコール類、グリコールエーテル類などが挙げられる。これらは、１種単独または複数種を用いることが可能である。
【００８３】
１，２−アルカンジオール類としては、上述した処理液と同様なものが採用可能である。１，２−アルカンジオール類は、布帛に対するインクの濡れ性を高めて、均一に濡らす作用に優れている。そのため、インクによって形成される画像などにおいて、にじみの発生を抑えることができる。１，２−アルカンジオール類を添加する場合の含有量は、インクの全質量に対して、１質量％以上、２０質量％以下であることが好ましい。
【００８４】
多価アルコール類としては、上述した処理液を同様なものが採用可能である。多価アルコール類をインクに添加することよって、インクジェットヘッドの吐出ノズル内におけるインクの乾燥や固化を抑制して、吐出ノズルの目詰まりや吐出不良などを低減することができる。多価アルコール類を添加する場合の含有量は、インクの全質量に対して、２質量％以上、３０質量％以下であることが好ましい。
【００８５】
グリコールエーテル類としては、上述した処理液と同様なものが採用可能である。グリコールエーテル類をインクに添加することによって、布帛に対する濡れ性や浸透速度を調節することができる。グリコールエーテル類を添加する場合の含有量は、インクの全質量に対して、０．０５質量％以上、１０質量％以下であることが好ましい。
【００８６】
上述した他の有機溶剤は、複数種を混合して用いてもよい。その場合、インクにおける他の有機溶剤の合計の含有量は、インクの全質量に対し、好ましくは１０質量％以上、３５質量％以下であり、より好ましくは２０質量％以上、３０質量％以下である。他の有機溶剤の合計の含有量を上記の範囲内とすることにより、インクの粘度の増大、布帛における挙動（乾燥や濡れ広がりなど）の調節、インクジェットヘッドの吐出不良低減などが可能となる。
【００８７】
［界面活性剤］
インクには、界面活性剤を添加してもよい。界面活性剤は、インクの表面張力を低下させて、布帛に対するインクの濡れ性を高める。界面活性剤としては、ノニオン系界面活性剤、アニオン系界面活性剤、カチオン系界面活性剤、両性界面活性剤が挙げられる。これらの界面活性剤としては、上述した処理液と同様なものが採用可能である。
【００８８】
インクに界面活性剤を添加する場合の含有量は、インクの全質量に対し、０．０１質量％以上、３質量％以下が好ましく、より好ましくは０．０５質量％以上、２質量％以下である。さらにより好ましくは、０．１質量％以上、１質量％以下である。界面活性剤の含有量を０．０１質量％以上とすることにより、布帛に対するインクの濡れ性を向上させることができる。界面活性剤の含有量を３質量％以下とすることにより、インクの表面張力が過度に低下することを抑え、インクの起泡性（泡立ちやすさ）を抑えることができる。
【００８９】
界面活性剤は、１種単独または複数種を用いてもよい。また、これらのうち、ＨＬＢ値が１３以上の界面活性剤を用いることが好ましい。これによれば、インクを布帛に付与した際に、布帛に対する浸透と濡れ広がりとの挙動を調節することができる。
【００９０】
［その他の成分］
インクには、ｐＨ調整剤、防腐剤、防かび剤、酸化防止剤、キレート剤、定着剤などの種々の添加剤を添加してもよい。
【００９１】
ｐＨ調整剤としては、特に限定されないが、例えば、有機塩基、無機塩基が挙げられる。有機酸、無機酸としては、上述した処理液と同様なものが採用可能である。ｐＨ調整剤を用いて、インクのｐＨを７．５以上、１０．５以下の範囲に調整することが好ましい。インクのｐＨを上記範囲とすることにより、インクジェットヘッドを含むインクジェット記録装置などにおいて、撥インク膜などの部材の腐食を抑えることができる。
【００９２】
防腐剤や防かび剤としては、上述した処理液と同様なものが採用可能である。防腐剤や防かび剤をインクに添加することにより、インク中にバクテリアやカビが繁殖することを抑制できる。
【００９３】
キレート剤は、金属イオンなどを捕捉して錯体を形成する。そのため、インクにキレート剤を用いると、インク中に不純物として含まれたり、インクが接触する部材から混入したりした金属イオンを捕捉して、金属イオンに由来する異物の発生を低減することができる。キレート剤としては、例えば、エチレンジアミン４酢酸塩（ＥＤＴＡ）、エチレンジアミンのニトリロ３酢酸塩、ヘキサメタリン酸塩、ピロリン酸塩、メタリン酸塩などが挙げられる。
【００９４】
［インクの調製］
本実施形態のインクは、上述した成分を任意の順序で混合し、必要に応じてろ過などを実施して不純物や異物などを除去することで調製することができる。各成分の混合方法としては、メカニカルスターラー、マグネティックスターラーなどの撹拌装置を備えた容器に、材料（成分）を順次添加して撹拌、混合する方法が用いられる。ろ過方法としては、遠心ろ過、フィルターろ過などが採用できる。
【００９５】
［インクの物性］
インクの粘度は２０℃において、２ｍＰａ・ｓ以上、１５ｍＰａ・ｓ以下であることが好ましい。より好ましくは、２ｍＰａ・ｓ以上、５ｍＰａ・ｓ以下であり、さらにより好ましくは、２ｍＰａ・ｓ以上、３．６ｍＰａ・ｓ以下である。インクの粘度を上記の範囲内にすることにより、インクジェットヘッドからのインクの吐出安定性および吐出量を確保することができる。また、上記の範囲から外れる粘度の場合は、インクジェットヘッドにおけるインクの吐出条件やインクジェットヘッドの種類を変更することにより、インクの吐出安定性を確保できる場合があり、例えば温度調整条件下であれば２２ｍＰ・ａまで吐出安定性を確保することができる場合がある。インクの粘度は、上述した処理液と同様な方法で測定することが可能である。
【００９６】
インクの２５℃における表面張力は、例えば、１０ｍＮ／ｍ以上、４０ｍＮ／ｍ以下とすることが好ましく、より好ましくは、２５ｍＮ／ｍ以上、４０ｍＮ／ｍ以下である。インクの２５℃における表面張力を上記の範囲とすることにより、捺染を行う際に、布帛に対する濡れ性や、処理液の成分との接触を促進することができる。インクの粘度および表面張力は、上述した処理液と同様な方法で測定することが可能である。
【００９７】
＜インクセット＞
色材の種類や含有量などを変更して複数種のインクを準備し、これらをインクセットとして用いる。複数種のインクをインクセットとして組み合せて用いれば、カラーの印捺物を作製することが可能となる。
【００９８】
酸性染料または直接染料を含む染料インクセットの一例として、複数種のインクは、色材として、Ｃ．Ｉ．アシッドブラック１７２、Ｃ．Ｉ．アシッドブラック５２：１のうちの１種以上を含むインク、色材として、Ｃ．Ｉ．アシッドイエロー７９を含むインク、色材として、Ｃ．Ｉ．アシッドレッド１３８、Ｃ．Ｉ．アシッドレッド２４９、Ｃ．Ｉ．アシッドレッド２８９のうちの１種以上を含むインク、色材として、Ｃ．Ｉ．ダイレクトブルー８７を含むインク、色材として、Ｃ．Ｉ．アシッドオレンジ３３、Ｃ．Ｉ．アシッドオレンジ５６、Ｃ．Ｉ．アシッドオレンジ９４のうちの１種以上を含むインク、色材として、Ｃ．Ｉ．アシッドレッド４０７を含むインク、色材として、Ｃ．Ｉ．アシッドブルー１１２、Ｃ．Ｉ．アシッドブルー１４０のうちの１種以上を含むインクから選ばれる２種以上を含むことが好ましい。これによれば、絹を含む布帛に用いた場合に、捺染を施した布帛の洗濯堅牢性を向上させることができる。
【００９９】
上記の酸性染料または直接染料を含む染料インクセットの一例において、複数種のインクは、色材として、Ｃ．Ｉ．アシッドイエロー１８４を含むインク、色材として、Ｃ．Ｉ．アシッドレッド５２を含むインク、色材として、Ｃ．Ｉ．アシッドブルー１９３を含むインク、色材として、Ｃ．Ｉ．アシッドブラウン２９８を含むインクから選ばれる１種以上をさらに含むことが好ましい。これによれば、絹を含む布帛に対して、布帛に施す画像などの色域（色再現範囲）を拡大することができる。
【０１００】
反応性染料を含む染料インクセットの一例として、複数種のインクは、色材として、Ｃ．Ｉ．リアクティブブラック３９を含むインク、色材として、Ｃ．Ｉ．リアクティブイエロー２、Ｃ．Ｉ．リアクティブイエロー９５のうちの１種以上を含むインク、色材として、Ｃ．Ｉ．リアクティブレッド３１、Ｃ．Ｉ．リアクティブレッド２４５のうちの１種以上を含むインク、色材として、Ｃ．Ｉ．リアクティブブルー１５：１を含むインク、色材として、Ｃ．Ｉ．リアクティブオレンジ１３を含むインク、色材として、Ｃ．Ｉ．リアクティブオレンジ３：１を含むインク、色材として、Ｃ．Ｉ．リアクティブブルー４９を含むインクから選ばれる２種以上を含むことが好ましい。これによれば、綿を含む布帛に用いた場合に、捺染を施した布帛の洗濯堅牢性を向上させることができる。
【０１０１】
上記の反応性染料を含む染料インクセットの一例において、複数種のインクは、色材として、Ｃ．Ｉ．リアクティブブルー１３を含むインク、色材として、Ｃ．Ｉ．リアクティブオレンジ３５を含むインクから選ばれる１種以上をさらに含むことが好ましい。これによれば、綿を含む布帛に対して、布帛に施す画像などの色域（色再現範囲）を拡大することができる。
【０１０２】
＜インクジェット記録装置＞
次に、本実施形態に係るインクジェット記録装置について、図１を参照して説明する。インクジェット記録装置は、液滴を吐出するインクジェット法を用いて、布帛などの記録媒体にインクまたは処理液の液滴を付与して印刷（捺染）を行う装置である。図１は、実施形態１に係るインクジェット記録装置を示す概略斜視図である。本実施形態では、インクジェット記録装置として、インクカートリッジがキャリッジに搭載されたオンキャリッジタイプのプリンターを例に挙げて説明する。なお、図１においては、各部材を認識可能な程度の大きさとするため、各部材の尺度を実際とは異ならせしめている。
【０１０３】
本実施形態のインクジェット記録装置としてのプリンター１は、いわゆるシリアルプリンターと呼ばれているものである。シリアルプリンターとは、所定の方向に移動するキャリッジにインクジェットヘッド（以降、単に「ヘッド」ともいう。）が搭載されており、キャリッジの移動に伴ってヘッドが移動しながら印刷を行うプリンターをいう。
【０１０４】
プリンター１は、図１に示すように、キャリッジ４、キャリッジ４に搭載されたヘッド３０、主走査機構５、プラテンローラー６、プリンター１全体の動作を制御する制御部（図示せず）を有している。
【０１０５】
主走査機構５は、キャリッジ４に接続されたタイミングベルト８、タイミングベルト８を駆動するモーター９、ガイド軸１０を有している。ガイド軸１０は、キャリッジ４の支持部材として、キャリッジ４の走査方向（主走査方向）に架設されている。キャリッジ４は、タイミングベルト８を介してモーター９によって駆動され、ガイド軸１０に沿って、主走査方向に往復移動が可能である。
【０１０６】
プラテンローラー６は、捺染を施す記録媒体である布帛２０を、主走査方向と直交する副走査方向（布帛２０の長さ方向）に、搬送する。プラテンローラー６によって、布帛２０は副走査方向に搬送される。また、キャリッジ４は、布帛２０の幅方向と略一致する主走査方向に往復移動が可能である。これにより、ヘッド３０では、布帛２０に対して主走査方向および副走査方向へ、相対的に走査が可能となっている。
【０１０７】
キャリッジ４の主走査方向における片方の端部には、ワイパー１１が設けられている。ワイパー１１は、例えば、略長方形の板状の部材であって、弾性および柔軟性を備えた樹脂などが形成材料として用いられる。ワイパー１１は、後述するノズル面をクリーニング（ヘッドクリーニング）した際に、ノズル面に付着したインクを拭き取る。具体的には、ノズル面にワイパー１１が当接した状態で、キャリッジ４を主走査方向に移動させて、ノズル面に対してワイパー１１を摺動させる。このようなワイピンング動作により、ノズル面に付着しているインクがノズル面から排除される。ノズル面にインクが付着していると、印捺物における混色（意図しない色が印刷されること）やノズルの吐出不良が発生することがある。
【０１０８】
ここで、ヘッド３０の主走査方向をＸ方向、ヘッド３０の副走査方向をＹ方向、Ｘ方向およびＹ方向と略直交するプリンター１の高さ方向をＺ方向とする。また、Ｘ方向において、ヘッド３０がワイパー１１から遠ざかる方向をＸ１方向、Ｘ１方向と反対の方向をＸ２方向とする。
【０１０９】
キャリッジ４には、処理液を収納する処理液カートリッジ７ａ，７ｉ、およびインクを収納するインクカートリッジ７ｂ，７ｃ，７ｄ，７ｅ，７ｆ，７ｇ，７ｈが着脱可能である。ここで、処理液カートリッジ７ａ，７ｉおよびインクカートリッジ７ｂ，７ｃ，７ｄ，７ｅ，７ｆ，７ｇ，７ｈを総称して、以降単に「カートリッジ７」ということもある。カートリッジ７は、独立した９つの液体容器である。キャリッジ４においてカートリッジ７は、Ｘ方向に沿って並んで装着され、Ｘ１方向に向かって、処理液カートリッジ７ａ、インクカートリッジ７ｂ，７ｃ，７ｄ，７ｅ，７ｆ，７ｇ，７ｈ、処理液カートリッジ７ｉの順に配置される。
【０１１０】
インクカートリッジ７ｂ，７ｃ，７ｄ，７ｅ，７ｆ，７ｇ，７ｈには、ブラック、シアン、マゼンタ、イエローなどの、上述したインクがそれぞれ収納され、これらを合わせてインクセットが構成されている。図１では、カートリッジ７の数を合計で９個としているが、これに限定されるものではない。カートリッジ７の底部には、収納された処理液およびインクを、各々ヘッド３０へ供給するための供給口（図示せず）が設けられている。キャリッジ４にカートリッジ７が装着されると、カートリッジ７に収納された処理液およびインクは、ヘッド３０に供給される。
【０１１１】
［インクジェットヘッド］
次に、ヘッド３０におけるノズル列の配置について、図２を用いて説明する。図２は、インクジェットヘッドのノズル列の配置を示す平面図である。ここで、図２は、プリンター１において、布帛２０の側から仰視したヘッド３０の外観を示している。
【０１１２】
ヘッド３０は、布帛２０と対向する面にノズル面３１を有している。ノズル面３１には、フッ素化合物およびシリコーン化合物を含む高分子膜、あるいはニッケルおよびフッ素化合物を含む共析メッキ膜などを、撥インク膜として形成してもよい。
【０１１３】
ヘッド３０（ノズル面３１）は、インクを吐出するインク用ノズル列３５ｂ，３５ｃ，３５ｄ，３５ｅ，３５ｆ，３５ｇ，３５ｈと、処理液を吐出する処理液用ノズル列３５ａ，３５ｉと、を有している。ここで、インク用ノズル列３５ｂ，３５ｃ，３５ｄ，３５ｅ，３５ｆ，３５ｇ，３５ｈと、処理液用ノズル列３５ａ，３５ｉと、を総称して、以降、単に「ノズル列３５」ということもある。ノズル列３５は、複数のノズルが線状に並んで形成され、Ｘ方向（Ｘ１方向およびＸ２方向）と略直交するように配置されている。ノズル列３５では、Ｘ２方向に向かって順に、処理液用ノズル列３５ａ、インク用ノズル列３５ｂ，３５ｃ，３５ｄ，３５ｅ，３５ｆ，３５ｇ，３５ｈ、処理液用ノズル列３５ｉが配置されている。
【０１１４】
カートリッジ７に収納された処理液およびインクは、ヘッド３０へ供給され、ヘッド３０内の駆動手段としてのアクチュエーター（図示せず）によって、対応するノズル列３５から液滴として吐出される。吐出された液滴は布帛２０に付与される。なお、図２では、ノズル列３５におけるノズルの数を模式的に示しており、ノズルの数はこれに限定されるものではない。
【０１１５】
ヘッド３０では、アクチュエーターとして圧電素子を用いているが、この方式に限定されない。例えば、アクチュエーターとしての振動板を静電吸着により変位させる電気機械変換素子や、加熱によって生じる気泡によってインクや処理液を液滴として吐出させる電気熱変換素子を用いてもよい。
【０１１６】
ノズル列３５における、処理液および複数種のインクの配置について説明する。詳細は後述するが、本発明の処理液の記録方法では、インクを布帛２０に付与した後に、該インクに接するように処理液を付与する。すなわち、プリンター１はシリアルプリンターであることから、Ｘ１方向およびＸ２方向のいずれの方向にヘッド３０が走査されても、インク、処理液の順に布帛２０に付与される。これにより、色ムラの発生を抑制することができる。
【０１１７】
また、インクセットを構成する複数種のインクにおいても、Ｘ１方向とＸ２方向とで、布帛２０に付与される順番を等しくすることが好ましい。染料は、顔料と比べて布帛２０に対する浸透性が高いため、染料の種類や含有量が異なるインクを重畳して布帛２０に付与する場合に、Ｘ１方向とＸ２方向とで付与されるインクの順番が異なると、Ｘ１方向とＸ２方向との間に色相差が発生することがある。このような色相差が顕著になると、色ムラとなる。
【０１１８】
そのため、本実施形態のヘッド３０におけるノズル列３５の配置の一例としては、ブラックインク、シアンインク、マゼンタインク、イエローインクの４色の色構成のインクセットを用いる場合に、ブラックインク用にインク用ノズル列３５ｅ、シアンインク用にインク用ノズル列３５ｄ，３５ｆ、マゼンタインク用にインク用ノズル列３５ｃ，３５ｇ、イエローインク用にインク用ノズル列３５ｂ，３５ｈを採用する。また、上述した通り、処理液用として、処理液用ノズル列３５ａ，３５ｉを採用する。
【０１１９】
このインクおよび処理液のノズル列３５の配置により、ヘッド３０の走査方向がＸ１方向で捺染を行う場合には、領域３２ｂ内のノズル列３５を用いる。すなわち、インク用ノズル列３５ｅ（ブラックインク）、インク用ノズル列３５ｆ（シアンインク）、インク用ノズル列３５ｇ（マゼンタインク）、インク用ノズル列３５ｈ（イエローインク）、処理液用ノズル列３５ｉ（処理液）の順序で、布帛２０に複数種のインクおよび処理液を付与することが可能となる。
【０１２０】
また、ヘッド３０の走査方向がＸ２方向で捺染を行う場合には、領域３２ａ内のノズル列３５を用いる。すなわち、インク用ノズル列３５ｅ（ブラックインク）、インク用ノズル列３５ｄ（シアンインク）、インク用ノズル列３５ｃ（マゼンタインク）、インク用ノズル列３５ｂ（イエローインク）、処理液用ノズル列３５ａ（処理液）の順序で、布帛２０に複数種のインクおよび処理液を付与することが可能となる。これによって、Ｘ１方向とＸ２方向とで、布帛２０に付与されるインクおよび処理液の順序が同じになり、色ムラの発生をさらに抑制することができる。
【０１２１】
なお、上述したインクセットの数および色構成、ノズル列３５における処理液およびインクの配置は一例であって、これに限定されるものではない。
【０１２２】
本実施形態では、インクジェット記録装置としてオンキャリッジタイプのプリンター１を例に挙げたが、これに限定されない。例えば、カートリッジ７などの液体容器が、キャリッジ４に搭載されない、オフキャリッジタイプのプリンターであってもよい。
【０１２３】
［布帛］
布帛２０の形成材料としては、例えば、綿、麻などの植物性繊維、絹、羊毛などの動物性繊維、ナイロン、ポリエステル、アセテート、トリアセテート、ポリアミド、ポリウレタンなどの合成繊維、ポリ乳酸などの生分解性繊維などが挙げられる。布帛２０の形態としては、上記の形成材料を単独あるいは混紡繊維として用いた、例えば、織物、編物、不織布などが挙げられ、これらを、衣類やその他の服飾品などとしたものが挙げられる。具体的には、縫製後のＴシャツ、ハンカチ、スカーフ、タオル、手提げ袋、布製のバッグ、カーテン、シーツ、ベッドカバー、壁紙などのファーニチャー類、布看板、横断幕などの掲示物の他、縫製前の部品としての裁断前後の布地なども含まれる。布地の形態としては、ロール状に巻かれた長尺のもの、所定の大きさに切断されたもの、商品形状のものなどが挙げられる。
【０１２４】
インクに用いる色材は、布帛の形成材料に対する適合性を考慮して選択することが好ましい。例えば、これに限定されるものではないが、酸性染料および直接染料は羊毛、ナイロン、絹などに、分散染料はポリエステル、アセテート、ナイロンなどに、反応性染料は綿、麻、レーヨン、絹などに、それぞれ用いることが好ましい。また、顔料は布種に制約されないが、主に綿に適用可能である。これらの染料の中でも、汎用品に対して比較的に高級な製品に用いられる絹を含む布帛に好適な、酸性染料または直接染料、あるいは布帛として普及している綿を含む布帛に好適な反応性染料を、布帛の形成材料に応じて用いることが好ましい。
【０１２５】
＜処理液の記録方法＞
次に、本実施形態に係る処理液の記録方法について説明する。本実施形態の処理液の記録方法は、色材が含まれる複数種のインクを布帛２０に付与する第１の工程と、第１の工程の後に、布帛２０に付与されたインクに接するように、処理液を付与する第２の工程と、を備える。
【０１２６】
また、本実施形態の処理液の記録方法は、プリンター１を適用したインクジェット記録方法であり、ヘッド３０が、布帛２０の所定の範囲を第１の方向としてのＸ１方向に走査している間に、第１の工程および第２の工程が実施され、ヘッド３０が、布帛２０の所定の範囲を、Ｘ１方向と反対の第２の方向としてのＸ２方向に走査している間に、第１の工程および第２の工程が実施される。
【０１２７】
［第１の工程］
第１の工程では、プリンター１のヘッド３０からインクの液滴を吐出して、布帛２０に付与する。第１の工程は、複数種のインクを用いて実施される。このとき、複数種のインクの液滴を、所定のタイミングで間欠的に、かつ所定の体積（質量）で吐出させることにより、布帛２０にインクを付与して、所望の画像、文字、模様、色彩などのデザインが捺染（記録）される。
【０１２８】
第１の工程において、ヘッド３０（キャリッジ４）は、Ｘ１方向およびＸ２方向へ、布帛２０の幅の範囲を含む所定の範囲を往復移動しながら、布帛２０に対してインクの液滴を吐出する。第１の工程は、所要時間を短縮するために、Ｘ１方向およびＸ２方向の双方で連続的に反復して行われることが好ましい。所要時間の短縮を追わず、布帛２０に形成される画像などをより高精細にする場合には、Ｘ１方向またはＸ２方向のみで第１の工程を行ってもよい。
【０１２９】
このとき、ヘッド３０の走査方向（移動方向）がＸ１方向、Ｘ２方向のどちらであっても、上述したノズル列の配置によって、ブラックインク、シアンインク、マゼンタインク、イエローインクの順番で布帛２０に付与することが可能である。これにより、色ムラの発生を抑制することができる。なお、ヘッド３０から吐出されるインクの色種は、布帛２０に形成する画像などによって決まるため、上述した４色のインクが常に吐出されて、布帛２０に付与されるものではない。
【０１３０】
布帛２０に付与されるインクの付着量は、布帛２０に形成される画像、布帛２０の形成材料、種類、インクに用いる色材などに応じて適宜調整される。インクの付着量は、特に限定されないが、例えば、５ｍｇ／ｉｎｃｈ2以上、２０ｍｇ／ｉｎｃｈ2以下となるように付与されることが好ましい。より好ましくは、１０ｍｇ／ｉｎｃｈ2以上、１５ｍｇ／ｉｎｃｈ2以下である。インクの付着量が５ｍｇ／ｉｎｃｈ2以上であることにより、捺染される画像などの発色が向上する傾向がある。また、インクの付着量が２０ｍｇ／ｉｎｃｈ2以下であることにより、布帛２０におけるインクの液滴の乾燥性が確保され、印捺物の滲みの発生が抑えられる。その後、第２の工程へ進む。
【０１３１】
［第２の工程］
第２の工程では、第１の工程で布帛２０に付与されたインクに接するように、ヘッド３０から処理液の液滴を吐出して布帛２０に処理液を付与する。第２の工程においても、第１の工程と同様に、ヘッド３０は、Ｘ１方向およびＸ２方向へ、布帛２０の幅の範囲を含む所定の範囲を往復移動しながら、布帛２０に対して処理液の液滴を吐出する。
【０１３２】
第２の工程は、第１の工程でヘッド３０がＸ１方向またはＸ２方向に１回移動する（走査している）間に、第１の工程に続けて行われる。すなわち、第２の工程は、第１の工程が行われたヘッド３０の移動方向（Ｘ１方向およびＸ２方向、あるいはＸ１方向またはＸ２方向）に対応して行われる。
【０１３３】
このとき、ヘッド３０の走査方向（移動方向）がＸ１方向、Ｘ２方向のどちらであっても、上述したノズル列の配置によって、インクが吐出されて布帛２０に付与された後に、処理液を吐出して布帛２０に付与する。そのため、色ムラの発生をさらに抑制することができる。なお、処理液は布帛２０に付与されたインクに接するように付与されればよく、布帛２０のインクが付与されていない領域に付与されてもよい。
【０１３４】
布帛２０に付与される処理液の付着量は、布帛２０の形成材料、種類、インクに用いる色材、インクの付着量などに応じて適宜調整される。処理液の付着量は、特に限定されないが、例えば、１ｍｇ／ｉｎｃｈ2以上、２０ｍｇ／ｉｎｃｈ2以下となるように付与されることが好ましい。より好ましくは、３ｍｇ／ｉｎｃｈ2以上、１５ｍｇ／ｉｎｃｈ2以下である。処理液の付着量が１ｍｇ／ｉｎｃｈ2以上であることにより、布帛２０に対するインクの浸透性が向上する。また、処理液の付着量が２０ｍｇ／ｉｎｃｈ2以下であることにより、布帛２０における処理液の液滴の乾燥性が確保され、印捺物の滲みの発生が抑えられる。その後、搬送工程へ進む。ここで、第１の工程と第２の工程とを複数回反復した後に、搬送工程へ進んでもよい。
【０１３５】
［搬送工程］
搬送工程では、第１の工程および第２の工程が行われた後に、布帛２０がＹ方向へ所定の距離（送り距離）だけ搬送される。布帛２０が搬送された後、引き続き第１の工程および第２の工程が行われる。このように、第１の工程、第２の工程、搬送工程を繰り返し行って、布帛２０の所望する領域に捺染を施す。なお、上述したように、搬送工程と次の搬送工程との間に、第１の工程および第２の工程を複数回反復して行ってもよい。すなわち、布帛２０において、インクおよび処理液を付与した領域に、さらに重畳させてインクおよび処理液を付与してもよい。第１の工程から搬送工程までを繰り返し、布帛２０の所望する領域に捺染を施した後、布帛２０をＹ方向へ搬送してプリンター１から取り出す。
【０１３６】
［後工程］
後工程として、布帛２０の加熱工程、洗浄および乾燥工程を設けてもよい。布帛２０の加熱工程では、布帛２０に付与されたインクおよび処理液に加熱を施す。加熱工程はインクおよび処理液の液滴を乾燥させると共に、色材として染料を用いる場合には、布帛２０の形成材料に染料を定着（染着）させるために行う。加熱工程の加熱方法としては、特に限定されないが、例えば、ヒートプレス法、常圧スチーム法、高圧スチーム法、サーモフィックス法などが挙げられる。また、加熱の熱源としては、特に限定されないが、例えば赤外線（ランプ）などが挙げられる。
【０１３７】
加熱工程の加熱温度としては、布帛２０の形成材料、色材の種類などに応じて、適宜設定される。加熱温度は、特に限定されないが、例えば１００℃以上、２００℃以下であることが好ましい。より好ましくは、１５０℃以上、１８０℃以下である。加熱温度をこのような範囲とすることにより、布帛２０への熱ダメージを抑え、インクおよび処理液の乾燥や定着を促進することができる。なお、加熱温度とは、布帛２０に形成された画像などのデザインの表面温度のことをいい、例えば、非接触温度計ＩＴ２−８０（商品名、キーエンス社）を用いて測定することができる。また、加熱温度を印加する加熱時間は、特に限定されないが、例えば、３０秒間以上、４０分間以下とすることができる。
【０１３８】
洗浄および乾燥工程では、捺染を施した布帛２０を水洗、乾燥する。水洗においては、必要に応じ、ソーピング処理として、布帛２０に染着または定着しなかった色材などを、熱石鹸液などを用いて洗い流してもよい。
【０１３９】
本実施形態では、処理液の記録方法にプリンター１（インクジェット記録装置）を用いたが、これに限定されない。処理液およびインクの付与には、ロータリースクリーン機械捺染、ベルト式自動スクリーン捺染、ハンドスクリーン捺染などの方法を用いてもよい。
【０１４０】
以上に述べたように、本実施形態に係る処理液の記録方法によれば、以下の効果を得ることができる。
【０１４１】
捺染を施した布帛２０おいて、色ムラおよび表裏面の発色差の発生を抑えて、画質を向上させることができる。詳しくは、第１の工程でインクを布帛２０に付与した後に、第２の工程で処理液を付与することから、布帛２０に付与されるインクと処理液との順序が変わらず、布帛２０の表裏面（表面および裏面）における色ムラの発生を抑制することができる。また、含窒素複素環式化合物の含有量が、処理液の全質量に対して、３０質量％以上、５０質量％以下であることから、布帛２０に対して処理液の浸透性が向上する。そのため、インクに含まれる色材などの成分が、布帛２０の裏面まで浸透しやすくなり、布帛２０の表裏面における発色差の発生を抑制することができる。さらに、布帛２０に付与されたインクに接するように処理液を付与することから、浸透性向上などの処理液の機能がより発現されやすくなる。以上により、捺染を施した布帛２０において、従来よりも画質を向上させる処理液の記録方法を提供することができる。
【０１４２】
プリンター１によるインクジェット法を用いるため、第１の工程にて、高精細な画像などを布帛２０に形成することができる。また、布帛２０に付与されたインクに接するように、処理液を付与することが容易になる。さらに、布帛２０に対する処理液の付着量、付与する領域などを、容易に調節することができる。
【０１４３】
Ｘ１方向およびＸ２方向の双方で、第１の工程および第２の工程が行われるため、捺染に要する時間を短縮することができる。
【０１４４】
含窒素複素環式化合物として、Ｎ−メチル−２−ピロリドン、Ｎ−エチル−２−ピロリドン、Ｎ−ビニル−２−ピロリドン、２−ピロリドン、５−メチル−２−ピロリドン、１，３−ジメチル−２−イミダゾリジノンから選ばれる１種以上を用いることから、布帛２０に対する処理液の浸透性がさらに向上し、布帛２０の表裏面における発色差の発生をさらに抑制することができる。
【０１４５】
含窒素複素環式化合物の含有量が、１質量％以上、１０質量％以下であることから、布帛２０に対するインクの浸透性がより向上する。そのため、色ムラおよび表裏面の発色差の発生がより抑えられ、画質をさらに向上させることができる。また、複数種のインクを用いることから、布帛２０に複数色の画像などを形成することができる。
【０１４６】
上述した酸性染料と直接染料とを、絹布などの絹を含む布帛２０に用いると、捺染を施した布帛２０の洗濯堅牢性を向上させることができる。また、絹を含む布帛２０に対して、布帛２０に施す画像などの色域（色再現範囲）を拡大することができる。
【０１４７】
上述した反応性染料を用いることにより、綿布などの綿を含む布帛２０に用いた場合に、捺染を施した布帛２０の洗濯堅牢性を向上させることができる。また、綿を含む布帛２０に対して、布帛２０に施す画像などの色域（色再現範囲）を拡大することができる。
【０１４８】
以下に、本実施形態の処理液の記録方法について、実施例と比較例とを示し、本実施形態の効果をより具体的に説明する。
【０１４９】
＜処理液の調製＞
実施例または比較例に用いる処理液Ｓ１，Ｓ２，Ｓ３（以下、「各処理液」ともいう。）の組成を、表１に示した。表１において、表中の数値の単位は質量％である。イオン交換水は、各処理液の全質量が１００．０質量％となるように調整して添加した。なお、表中に数値の記載がない、「−」表記の欄は、含有しないことを意味する。
【０１５０】
表１に示した組成に従って、各処理液を調製した。具体的には、各成分を容器に入れ、マグネティックスターラーを用いて１時間撹拌を行った。その後、孔径５μｍのＰＴＦＥ（ポリテトラフルオロエチレン）製メンブレンフィルターにてろ過を行って、各処理液を得た。
【０１５１】
【表１】
2019026963.tif 000002
【０１５２】
ここで、処理液Ｓ１では、含窒素複素環式化合物として２−ピロリドン（３０．０質量％）と、他の有機溶剤として、グリセリン（１５．０質量％）、トリエチレングリコール（１９．０質量％）、ブチルトリグリコール（１．０質量％）と、界面活性剤としてノニオン系（アセチレングリコール系）のオルフィン（登録商標）Ｅ１０１０（商品名、日信化学工業社、ＨＬＢ値１３から１４）（１．０質量％）と、ｐＨ調整剤としてトリエタノールアミン（０．３質量％）と、防腐剤・防かび剤としてＰＲＯＸＥＬ  ＸＬ−２（商品名、ＬＯＮＺＡ社）（０．１質量％）と、水としてイオン交換水と、を用いた。
【０１５３】
処理液Ｓ２は、処理液Ｓ１の組成に対して、２−ピロリドンの含有量を５０．０質量％とした組成である。処理液Ｓ３は、処理液１の組成に対して、２−ピロリドンを含有しない組成である。
【０１５４】
＜インクの調製＞
実施例または比較例に用いるインクの組成を、表２から表７に示した。表２から表４に組成を示したインクは、色材として酸性染料または直接染料を用いたインクである。表５から表７に組成を示したインクは、色材として反応性染料を用いたインクである。ここで、表２のインクの組み合せをインクセットＡ１とし、表３のインクの組み合せをインクセットＡ２とし、インクセットＡ１およびインクセットＡ２を総称してインクセットＡとする。表４のインクの組み合せをインクセットＢとする。表５のインクの組み合せをインクセットＣ１とし、表６のインクの組み合せをインクセットＣ２とし、インクセットＣ１およびインクセットＣ２を総称してインクセットＣとする。表７のインクの組み合せをインクセットＤとする。
【０１５５】
表２から表７において、表中の数値の単位は質量％である。イオン交換水は、インクの全質量が１００．０質量％となるように調整して添加した。なお、表中に数値の記載がない、「−」表記の欄は、含有しないことを意味する。
【０１５６】
表２から表７に示した組成に従って、各インクを調製した。具体的には、各成分を容器に入れ、マグネティックスターラーを用いて２時間撹拌を行い、各成分を均一に混合した。その後、孔径１μｍのＰＴＦＥ（ポリテトラフルオロエチレン）製メンブレンフィルターにてろ過を行って、各インクを得た。
【０１５７】
【表２】
2019026963.tif 000003
【０１５８】
【表３】
2019026963.tif 000004
【０１５９】
【表４】
2019026963.tif 000005
【０１６０】
【表５】
2019026963.tif 000006
【０１６１】
【表６】
2019026963.tif 000007
【０１６２】
【表７】
2019026963.tif 000008
【０１６３】
ここで、表２に組成を示したインクセットＡ１は、Ｃ．Ｉ．アシッドブラック１７２、Ｃ．Ｉ．アシッドイエロー７９、Ｃ．Ｉ．アシッドレッド１３８、Ｃ．Ｉ．ダイレクトブルー８７、Ｃ．Ｉ．アシッドオレンジ３３、Ｃ．Ｉ．アシッドオレンジ９４、Ｃ．Ｉ．アシッドレッド４０７、Ｃ．Ｉ．アシッドブルー１４０のうちの１種以上を含むインクの組み合せである。
【０１６４】
表３に組成を示したインクセットＡ２は、Ｃ．Ｉ．アシッドイエロー１８４、Ｃ．Ｉ．アシッドオレンジ３３、Ｃ．Ｉ．アシッドオレンジ９４、Ｃ．Ｉ．アシッドブルー１９３、Ｃ．Ｉ．アシッドブラウン２９８のうちの１種以上を含むインクの組み合せである。
【０１６５】
表４に組成を示したインクセットＢは、Ｃ．Ｉ．アシッドブラック５２：１、Ｃ．Ｉ．アシッドオレンジ５６などを含むインクの組み合せである。
【０１６６】
表５に組成を示したインクセットＣ１は、Ｃ．Ｉ．リアクティブブラック３９、Ｃ．Ｉ．リアクティブイエロー２、Ｃ．Ｉ．リアクティブイエロー９５、Ｃ．Ｉ．リアクティブレッド３１、Ｃ．Ｉ．リアクティブレッド２４５、Ｃ．Ｉ．リアクティブブルー１５：１、Ｃ．Ｉ．リアクティブブルー４９、Ｃ．Ｉ．リアクティブオレンジ１３、Ｃ．Ｉ．リアクティブオレンジ３：１のうちの１種以上を含むインクの組み合せである。
【０１６７】
表６に組成を示したインクセットＣ２は、Ｃ．Ｉ．リアクティブブルー１３、Ｃ．Ｉ．リアクティブオレンジ３５を含むインクの組み合せである。
【０１６８】
表７に組成を示したインクセットＤは、Ｃ．Ｉ．リアクティブイエロー２、Ｃ．Ｉ．リアクティブブルー１５：１などを含むインクの組み合せである。
【０１６９】
＜評価用サンプルの作製＞
処理液Ｓ１から処理液Ｓ３と、インクセットＡからインクセットＤとを用い、表８および表９に示した組み合せにて、実施例１から実施例８、比較例１から比較例８の評価用サンプルを作製した。表８の、実施例１から実施例４および比較例１から比較例４では、色材として酸性染料または直接染料を含むインクを用いた。表９の、実施例５から実施例８および比較例５から比較例８では、色材として反応性染料を含むインクを用いた。
【０１７０】
【表８】
2019026963.tif 000009
【０１７１】
【表９】
2019026963.tif 000010
【０１７２】
［色ムラの評価用サンプル］
色ムラの観察しやすさから、各インクセットの中から、イエローインク、マゼンタインク、シアンインクの３色のインクを用いて評価用サンプルを作製した。具体的には、インクジェットプリンターＰＸ−Ｇ９３０（商品名、セイコーエプソン社）を用い、インクカートリッジに処理液および各インクを個々に充填した。
【０１７３】
実施例および比較例における記録順序（インクおよび処理液を布帛に付与する順序）を、表８および表９に示した。表８および表９において、表中に「●」印で示した記録順序を採用した。実施例１から実施例８、および比較例１、比較例３、比較例５、比較例７では「インク→処理液」の記録順序とし、これら以外は「処理液→インク」の記録順序とした。
【０１７４】
記録順序を設定するため、インクカートリッジをインクジェットプリンターＰＸ−Ｇ９３０のキャリッジに装着する位置を次の通りとした。記録順序を「インク→処理液」とする水準では、処理液を充填したインクカートリッジをイエロー色およびグロスオプティマイザの位置に、イエローインクを充填したインクカートリッジをマゼンタ色およびブルー色の位置に、マゼンタインクを充填したインクカートリッジをシアン色およびレッド色の位置に、シアンインクを充填したインクカートリッジをマットブラック色およびフォトブラック色の位置に装着した。この位置の設定により、Ｘ１方向およびＸ２方向において、シアンインク、マゼンタインク、イエローインク、処理液の順に布帛に付与することが可能となる。
【０１７５】
記録順序を「処理液→インク」とする水準では、処理液を充填したインクカートリッジをマットブラック色およびフォトブラック色の位置に、イエローインクを充填したインクカートリッジをイエロー色およびグロスオプティマイザの位置に、マゼンタインクを充填したインクカートリッジをマゼンタ色およびブルー色の位置に、シアンインクを充填したインクカートリッジをシアン色およびレッド色の位置に装着した。この位置の変更により、Ｘ１方向およびＸ２方向において、処理液、シアンインク、マゼンタインク、イエローインクの順に布帛に付与することが可能となる。
【０１７６】
布帛として、絹布（５０ｇ／ｍ2から６０ｇ／ｍ2）および綿布（１２４ｇ／ｍ2から１３２ｇ／ｍ2）をＡ４サイズに裁断して使用した。表８の、実施例１から実施例４および比較例１から比較例４では絹布を用い、表９の、実施例５から実施例８および比較例５から比較例８では綿布を用いた。絹布および綿布は、上記インクジェットプリンターにおける搬送性を確保するため、捺染を施す面（表面）の裏面にＡ４サイズの普通紙を重ねて貼付した。
【０１７７】
次いで、画像解像度を１４４０×７２０ｄｐｉ（Dots Per inch）とし、インクの印刷デューティーを１００％、処理液の印刷デューティーを１００％として、上記布帛にベタ印刷を行った。ここで、印刷デューティーとは、下記式（１）で算出される値である。
印刷デューティー［％］  ＝  実印刷ドット数／（縦解像度×横解像度）×１００  ・・・（１）
（式中、「実印刷ドット数」は、単位面積当たりの実印刷ドット数であり、「縦解像度」および「横解像度」は、それぞれ単位面積当たりの解像度である。印刷デューティー１００％とは、画素に対する最大インク質量を意味する。）
【０１７８】
このとき、布帛に対するインク１色当たりの付着量は、２０ｍｇ／ｉｎｃｈ2となる。なお、上述したキャリッジにカートリッジを装着した位置に対応させ、「インク→処理液」または「処理液→インク」の記録順序で捺染が行われるように、ベタ印刷用のデータを調整した。
【０１７９】
次いで、捺染を施した布帛に、加熱工程を実施した。具体的には、ステーマーＤＨｅ型（マチス社）を用いて、１０２℃の高加湿雰囲気下で、絹布は３０分間、綿布は１０分間のスチーミング処理（加熱）を施して、実施例および比較例の評価用サンプルを作製した。
【０１８０】
［発色差の評価用サンプル］
発色差の観察しやすさから、各インクセットの中から、ブラックインクを単色で用いて評価用サンプルを作製した。具体的には、記録順序を「インク→処理液」とする水準では、処理液を充填したインクカートリッジをイエロー色およびグロスオプティマイザの位置に、ブラックインクを充填したインクカートリッジをマゼンタ色およびシアン色の位置に装着した。記録順序を「処理液→インク」とする水準では、処理液を充填したインクカートリッジをマゼンタ色およびシアン色の位置に、ブラックインクを充填したインクカートリッジをグロスオプティマイザおよびイエロー色の位置に装着した。画像解像度を１４４０×７２０ｄｐｉ（Dots Per inch）とし、ブラックインクの印刷デューティーを１００％、処理液の印刷デューティーを１００％として、ブラックインクおよび処理液のみで布帛にベタ印刷を行った。これ以外は、色ムラの評価用サンプルと同様にして、発色差の評価用サンプルを作製した。
【０１８１】
［洗濯堅牢性の評価用サンプル］
実施例および比較例の処理液とインクとの組み合せにおいて、インクセットを構成する全てのインクを単色でベタ印刷した他は、上述した発色差および色ムラの評価用サンプルの作製方法と同様にして、洗濯堅牢性の評価用サンプルを作製した。
【０１８２】
＜評価＞
［色ムラ］
評価用サンプルの表裏面について、４０ｃｍから６０ｃｍの距離から、色ムラの発生の有無を目視にて観察し、以下の基準に従って評価した。その結果を表８および表９に示した。
Ａ：表面および裏面のいずれにも、色ムラが発生していない。
Ｂ：表面あるいは裏面のいずれか一方に、色ムラが発生している。
Ｃ：表面および裏面のいずれにも、色ムラが発生している。
【０１８３】
［発色差］
評価用サンプルの表裏面について、ＯＤ（Optical Density）値を測定し、発色差の指標として表裏面のＯＤ値の差を計算した。具体的には、測色機ＦＤ−７（商品名、コニカミノルタセンシング社）を用いて、光源Ｄ６５、視野角１０度の測定条件にて、表面の捺染を施した領域と、該領域に対応する裏面の領域とのＯＤ値を測定した。表面のＯＤ値から裏面のＯＤ値を引いて△ＯＤ（デルタＯＤ）値として計算し、以下の基準に従って評価した。その結果を表８および表９に示した。
Ａ：△ＯＤ値が、０．２以下である。
Ｂ：△ＯＤ値が、０．２を超え、０．５以下である。
Ｃ：△ＯＤ値が、０．５を超えている。
【０１８４】
［洗濯堅牢性］
洗濯堅牢性の指標として、洗濯堅牢性の評価用サンプルから試験片を切り出し、ＩＳＯ  １０５−Ｃ１０  Ｂ（２）に準拠して、変退色および汚染の試験を実施した。汚染評価用の白布は、多織交織布２号（アセテート、綿、ナイロン、エステル、アクリル、羊毛）を用いた。試験結果を以下の基準に従って評価し、表８および表９に示した。なお、以下の基準のうち、インクセットを構成する全てのインクが満たす基準を、評価結果として採用した。
Ａ：試験結果が、４級以上である。
Ｂ：試験結果が、３級または３／４級である。
Ｃ：試験結果が、２／３級以下である。
【０１８５】
表８および表９に示したように、全ての実施例において、発色差および色ムラの評価結果が、「優」レベルに相当するＡ評価となり、発色差および色ムラの発生が抑制され、画質が向上することが示された。また、実施例１から実施例４（絹布、酸性染料および直接染料を用いた水準）では、洗濯堅牢性の評価結果が、「優」レベルに相当するＡ評価となり、洗濯堅牢性が優れることが示された。また、実施例５から実施例８（綿布、反応性染料を用いた水準）では、洗濯堅牢性の評価結果が、「可」レベルに相当するＢ評価となり、洗濯堅牢性が確保されることが示された。
【０１８６】
一方、比較例１から比較例８では、発色差または色ムラのいずれかの評価結果が、「不適」に相当するＣ評価となり、実施例と比べて劣ることが分かった。特に、記録順序を「処理液→インク」とした、比較例２、比較例４、比較例６、比較例８では、色ムラの評価結果がＣ評価、発色差の評価結果がＢ評価となり、その他の比較例と比べても劣ることが分かった。
【０１８７】
（実施形態２）
本実施形態に係る処理液の記録方法について説明する。本実施形態においても、インクジェット記録装置としてプリンター１を例に挙げて説明する。なお、実施形態１と同一の構成部位については、同一の符号を使用し、重複する説明は省略する。
【０１８８】
＜インクジェット記録装置＞
［インクジェットヘッド］
本実施形態では、実施形態１のヘッド３０において、インク用ノズル列と処理液用ノズル列との配置を変更している。具体的には、図２に示したノズル列３５において、インク用ノズル列３５ａ，３５ｂ，３５ｃ，３５ｄ，３５ｆ，３５ｇ，３５ｈ，３５ｉと、処理液用ノズル列３５ｅと、に変更している。
【０１８９】
したがって、本実施形態のヘッド３０におけるノズル列３５の配置の一例としては、ブラックインク、シアンインク、マゼンタインク、イエローインクの４色の色構成のインクセットを用いる場合に、ブラックインク用にインク用ノズル列３５ａ，３５ｉ、シアンインク用にインク用ノズル列３５ｂ，３５ｈ、マゼンタインク用にインク用ノズル列３５ｃ，３５ｇ、イエローインク用にインク用ノズル列３５ｄ，３５ｆを採用する。また、上述した通り、処理液用として、処理液用ノズル列３５ｅを採用する。
【０１９０】
このインクおよび処理液のノズル列３５の配置により、ヘッド３０の走査方向がＸ１方向で捺染を行う場合には、領域３２ａ内のノズル列３５を用いる。すなわち、インク用ノズル列３５ａ（ブラックインク）、インク用ノズル列３５ｂ（シアンインク）、インク用ノズル列３５ｃ（マゼンタインク）、インク用ノズル列３５ｄ（イエローインク）、処理液用ノズル列３５ｅ（処理液）の順番で、布帛２０に複数種のインクおよび処理液を付与することが可能となる。
【０１９１】
また、ヘッド３０の走査方向がＸ２方向で捺染を行う場合には、領域３２ｂ内のノズル列３５を用いる。すなわち、インク用ノズル列３５ｉ（ブラックインク）、インク用ノズル列３５ｈ（シアンインク）、インク用ノズル列３５ｇ（マゼンタインク）、インク用ノズル列３５ｆ（イエローインク）、処理液用ノズル列３５ｅ（処理液）の順番で、布帛２０に複数種のインクおよび処理液を付与することが可能となる。これによって、Ｘ１方向とＸ２方向とで、布帛２０に付与されるインクおよび処理液の順番が等しくなり、色ムラの発生を抑制することができる。
【０１９２】
なお、上述したインクセットの数および色構成、ノズル列３５における処理液およびインクの配置は一例であって、これに限定されるものではない。また、本実施形態では、インクジェット記録装置としてオンキャリッジタイプのプリンター１を例に挙げたが、これに限定されない。例えば、カートリッジ７などの液体容器が、キャリッジ４に搭載されない、オフキャリッジタイプのプリンターであってもよい。
【０１９３】
以上に述べたように、本実施形態の処理液の記録方法によれば、実施形態１と同様な効果が得られる。
【０１９４】
（実施形態３）
本実施形態に係る処理液の記録方法について、図３を参照して説明する。図３は、実施形態３に係るインクジェットヘッドのノズル列の配置を示す平面図である。本実施形態においても、インクジェット記録装置としてシリアルプリンターを例に挙げて説明する。なお、実施形態１と同一の構成部位については、同一の符号を使用し、重複する説明は省略する。
【０１９５】
＜インクジェット記録装置＞
本実施形態のプリンターは、ヘッド４０αとヘッド４０βとの、２つのインクジェットヘッドを有している。ヘッド４０αおよびヘッド４０βは、それぞれ個別のキャリッジ（図示せず）、主走査機構（図示せず）などと機械的に接続されている。そのため、ヘッド４０αとヘッド４０βとは、互いに干渉することなく、Ｘ１方向およびＸ２方向に往復移動が可能である。
【０１９６】
［インクジェットヘッド］
図３は、本実施形態のプリンターにおいて、Ｚ方向の負の方向から仰視したヘッド４０αおよびヘッド４０βの外観を示している。
【０１９７】
布帛２０（図示せず）と対向する面に、ヘッド４０αはノズル面４１αを有し、ヘッド４０βはノズル面４１βを有している。ノズル面４１α，４１βには、フッ素化合物およびシリコーン化合物を含む高分子膜、あるいはニッケルおよびフッ素化合物を含む共析メッキ膜などを、撥インク膜として形成してもよい。
【０１９８】
ヘッド４０α（ノズル面４１α）は、インクを吐出するインク用ノズル列４５ａ，４５ｂ，４５ｃ，４５ｄと、処理液を吐出する処理液用ノズル列４５ｅと、を有している。ヘッド４０β（ノズル面４１β）は、インクを吐出するインク用ノズル列４５ｇ，４５ｈ，４５ｉ，４５ｊと、処理液を吐出する処理液用ノズル列４５ｆと、を有している。ここで、インク用ノズル列４５ａ，４５ｂ，４５ｃ，４５ｄと、処理液用ノズル列４５ｅと、を総称して、以降、単に「ノズル列４５α」、インク用ノズル列４５ｇ，４５ｈ，４５ｉ，４５ｊと、処理液用ノズル列４５ｆと、を総称して、以降、単に「ノズル列４５β」ということもある。なお、図３では、ノズル列４５α，４５βにおけるノズルの数を模式的に示しており、ノズルの数はこれに限定されるものではない。
【０１９９】
ここで、ノズル列４５αでは、Ｘ１方向に向かって順に、インク用ノズル列４５ａ，４５ｂ，４５ｃ，４５ｄ、処理液用ノズル列４５ｅが配置されている。ノズル列４５βでは、Ｘ２方向に向かって順に、インク用ノズル列４５ｊ，４５ｉ，４５ｈ，４５ｇ、処理液用ノズル列４５ｆが配置されている。
【０２００】
本実施形態のヘッド４０α，４０βにおけるノズル列４５α，４５βの配置の一例としては、ブラックインク、シアンインク、マゼンタインク、イエローインクの４色の色構成のインクセットを用いる場合に、ブラックインク用にインク用ノズル列４５ａ，４５ｊ、シアンインク用にインク用ノズル列４５ｂ，４５ｉ、マゼンタインク用にインク用ノズル列４５ｃ，４５ｈ、イエローインク用にインク用ノズル列４５ｄ，４５ｇを採用する。また、上述した通り、処理液用として、処理液用ノズル列４５ｅ，４５ｆを採用する。
【０２０１】
このインクおよび処理液のノズル列４５α，４５βの配置により、走査方向がＸ１方向で捺染を行う場合には、ヘッド４０αを用いて、インク用ノズル列４５ａ（ブラックインク）、インク用ノズル列４５ｂ（シアンインク）、インク用ノズル列４５ｃ（マゼンタインク）、インク用ノズル列４５ｄ（イエローインク）、処理液用ノズル列４５ｅ（処理液）の順序で捺染を行う。
【０２０２】
また、走査方向がＸ２方向で捺染を行う場合には、ヘッド４０βを用いて、インク用ノズル列４５ｊ（ブラックインク）、インク用ノズル列４５ｉ（シアンインク）、インク用ノズル列４５ｈ（マゼンタインク）、インク用ノズル列４５ｇ（イエローインク）、処理液用ノズル列４５ｆ（処理液）の順序で、捺染を行う。これによって、Ｘ１方向とＸ２方向とで、吐出されるインクおよび処理液の順序が等しくなり、色ムラの発生を抑制することができる。
【０２０３】
なお、上述したインクセットの数および色構成、ノズル列３５における処理液およびインクの配置は一例であって、これに限定されるものではない。また、本実施形態では、インクジェット記録装置としてオンキャリッジタイプのプリンターを例に挙げたが、これに限定されない。例えば、カートリッジなどの液体容器が、キャリッジに搭載されない、オフキャリッジタイプのプリンターであってもよい。
【０２０４】
以上に述べたように、本実施形態の処理液の記録方法によれば、実施形態１における効果に加えて、以下の効果を得ることができる。２つのヘッド４０α，４０βを有することから、色ムラや発色差の発生を抑えて、捺染に要する時間をさらに短縮することができる。
【０２０５】
（実施形態４）
本実施形態に係る処理液の記録方法について、図４を参照して説明する。図４は、実施形態４に係るインクジェットヘッドのノズル列の配置を示す平面図である。本実施形態においても、インクジェット記録装置としてシリアルプリンターを例に挙げて説明する。なお、実施形態１と同一の構成部位については、同一の符号を使用し、重複する説明は省略する。
【０２０６】
＜インクジェット記録装置＞
［インクジェットヘッド］
図４は、プリンター１（図１参照）において、布帛２０の側から仰視した、本実施形態のヘッド５０の外観を示している。
【０２０７】
ヘッド５０は、布帛２０と対向する面にノズル面５１を有している。ノズル面５１には、フッ素化合物およびシリコーン化合物を含む高分子膜、あるいはニッケルおよびフッ素化合物を含む共析メッキ膜などを、撥インク膜として形成してもよい。
【０２０８】
ヘッド５０（ノズル面５１）は、６つのノズル列を備え、インクを吐出するインク用ノズル列５５ｂ，５５ｃ，５５ｄ，５５ｅと、処理液を吐出する処理液用ノズル列５５ａ，５５ｆと、を有している。ここで、インク用ノズル列５５ｂ，５５ｃ，５５ｄ，５５ｅと、処理液用ノズル列５５ａ，５５ｆと、を総称して、以降、単に「ノズル列５５」ということもある。ノズル列５５は、複数のノズルが線状に並んで形成され、Ｘ方向（Ｘ１方向およびＸ２方向）と略直交するように配置されている。ノズル列５５では、Ｘ２方向に向かって順に、処理液用ノズル列５５ａ、インク用ノズル列５５ｂ，５５ｃ，５５ｄ，５５ｅ、処理液用ノズル列５５ｆが配置されている。
【０２０９】
本実施形態のヘッド５０におけるノズル列５５の配置の一例としては、ブラックインク、シアンインク、マゼンタインク、イエローインクの４色の色構成のインクセットを用いる場合に、ブラックインク用にインク用ノズル列５５ｂ、シアンインク用にインク用ノズル列５５ｃ、マゼンタインク用にインク用ノズル列５５ｄ、イエローインク用にインク用ノズル列５５ｅを採用し、処理液用として、処理液用ノズル列５５ａ，５５ｆを採用する。
【０２１０】
このインクおよび処理液のノズル列５５の配置により、ヘッド５０の走査方向がＸ１方向で捺染を行う場合には、領域５２ｂ内のノズル列５５を用いる。すなわち、インク用ノズル列５５ｂ（ブラックインク）、インク用ノズル列５５ｃ（シアンインク）、インク用ノズル列５５ｄ（マゼンタインク）、インク用ノズル列５５ｅ（イエローインク）、処理液用ノズル列５５ｆ（処理液）の順序で、布帛２０に複数種のインクおよび処理液を付与する。
【０２１１】
また、ヘッド５０の走査方向がＸ２方向で捺染を行う場合には、領域５２ａ内のノズル列５５を用いる。すなわち、インク用ノズル列５５ｅ（イエローインク）、インク用ノズル列５５ｄ（マゼンタインク）、インク用ノズル列５５ｃ（シアンインク）、インク用ノズル列５５ｂ（ブラックインク）、処理液用ノズル列５５ａ（処理液）の順序で、布帛２０に複数種のインクおよび処理液を付与する。これによって、Ｘ１方向とＸ２方向との両方向において、インクの後に処理液が付与される。
【０２１２】
なお、上述したインクセットの色構成、ノズル列５５における処理液およびインクの配置は一例であって、これに限定されるものではない。
【０２１３】
以上に述べたように、本実施形態の処理液の記録方法によれば、以下の効果を得ることができる。ヘッド５０のように、ノズル列の数が少ない場合に、インク→処理液の順序で捺染を行うことが可能となる。これにより、色ムラおよび発色差の発生を抑えて、捺染に要する時間を短縮することができる。
【符号の説明】
【０２１４】
１…インクジェット記録装置としてのプリンター、４…キャリッジ、５…主走査機構、６…プラテンローラー、７ａ，７ｉ…処理液カートリッジ、７ｂ，７ｃ，７ｄ，７ｅ，７ｆ，７ｇ，７ｈ…インクカートリッジ、８…タイミングベルト、９…モーター、１０…ガイド軸、１１…ワイパー、２０…布帛、３０，４０α，４０β，５０…ヘッド、３５，４５α，４５β，５５…ノズル列。
【図１】
2019026963.tif 000011
【図２】
2019026963.tif 000012
【図３】
2019026963.tif 000013
【図４】
2019026963.tif 000014